(57)【要約】【課題】励起光の切替時の周波数ズレを抑制できる波長変換装置等を提供する。【解決手段】波長変換装置は、第１の励起光源と、第２の励起光源と、波長変換部と、測定部と、調整部と、制御部とを有する。第１の励起光源は、第１の励起光を発光する。第２の励起光源は、第２の励起光を発光する。波長変換部は、第１の励起光及び第２の励起光の内、運用中の励起光に応じて第１の波長の信号光を第２の波長の信号光に変換する。測定部は、運用中の励起光と、第１の励起光及び第２の励起光の内、運用中の励起光以外の予備の励起光との周波数差を測定する。調整部は、運用中の励起光の異常を検出した場合に、異常検出前の運用中の励起光の周波数に予備の励起光の周波数を揃えるように調整する。制御部は、予備の励起光の周波数を調整した後、調整後の予備の励起光を運用に切替える。【選択図】図２
2020101649.tif 000002
【特許請求の範囲】
【請求項１】
第１の励起光を発光する第１の励起光源と、
第２の励起光を発光する第２の励起光源と、
前記第１の励起光及び前記第２の励起光の内、運用中の励起光に応じて第１の波長の信号光を第２の波長の信号光に変換する波長変換部と、
前記運用中の励起光と、前記第１の励起光及び前記第２の励起光の内、前記運用中の励起光以外の予備の励起光との周波数差を測定する測定部と、
前記運用中の励起光の異常を検出した場合に、異常検出前の前記周波数差に基づき、前記異常検出前の運用中の励起光の周波数に前記予備の励起光の周波数を揃えるように調整する調整部と、
前記予備の励起光の周波数を調整した後、調整後の前記予備の励起光を運用に切替える制御部と
を有することを特徴とする波長変換装置。
【請求項２】
第３の励起光を発光する第３の励起光源を有し、
前記波長変換部は、
前記第１の励起光、前記第２の励起光及び前記第３の励起光の内、少なくとも２つの励起光を前記運用中の励起光とし、当該運用中の励起光に応じて前記第１の波長の信号光を前記第２の波長の信号光に変換し、
前記測定部は、
前記運用中の励起光と、前記予備の励起光との周波数差を測定し、
前記調整部は、
前記運用中の励起光の異常を検出した場合に、異常検出前の前記周波数差に基づき、前記異常検出前の運用中の励起光の周波数に前記予備の励起光の周波数を揃えるように調整し、
前記制御部は、
前記予備の励起光の周波数を調整した後、調整後の前記予備の励起光を運用に切替えることを特徴とする請求項１に記載の波長変換装置。
【請求項３】
前記波長変換部に対して前記第１の励起光源と第１の切替部とを切替える第２の切替部と、
前記波長変換部に対して前記第３の励起光源と前記第１の切替部とを切替える第３の切替部と、
前記第２の励起光源に対して前記第２の切替部と前記第３の切替部とを切替える前記第１の切替部とを有し、
前記制御部は、
前記調整後の前記予備の励起光を運用に切替えるように、前記第１の切替部、前記第２の切替部及び前記第３の切替部を制御することを特徴とする請求項２に記載の波長変換装置。
【請求項４】
前記検出部は、
前記運用中の励起光の正常時の周波数を透過波長に設定するフィルタと、
前記フィルタ通過前の前記運用中の励起光の出力レベルと、前記フィルタ通過後の前記運用中の励起光の出力レベルとを比較し、比較結果に基づき、前記運用中の励起光の出力レベルの異常又は周波数ズレの異常を検出する異常検出部と
を有することを特徴とする請求項１に記載の波長変換装置。
【請求項５】
前記検出部は、
前記波長変換部にて波長変換後の信号光を光分岐する分岐部と、
前記運用中の励起光の正常時の周波数を透過波長に設定するフィルタと、
前記フィルタ通過前の前記運用中の励起光の出力レベルと、前記フィルタ通過後の前記運用中の励起光の出力レベルとを比較し、比較結果に基づき、前記運用中の励起光の出力レベルの異常又は周波数ズレの異常を検出する異常検出部と
を有することを特徴とする請求項１に記載の波長変換装置。
【請求項６】
第１の励起光を発光する第１の励起光源と、第２の励起光を発光する第２の励起光源と、前記第１の励起光及び前記第２の励起光の内、運用中の励起光に応じて第１の波長の信号光を第２の波長の信号光に変換する波長変換部とを有する波長変換装置が実行する励起光切替方法であって、
前記波長変換装置は、
前記運用中の励起光と、前記第１の励起光及び前記第２の励起光の内、前記運用中の励起光以外の予備の励起光との周波数差を測定し、
前記運用中の励起光の異常を検出した場合に、前記異常検出前の運用中の励起光の周波数に前記予備の励起光の周波数を揃えるように調整し  
前記予備の励起光の周波数を調整した後、調整後の前記予備の励起光を運用に切替える
処理を実行することを特徴とする励起光切替方法。
【請求項７】
第１の励起光を発光する第１の励起光源と、
第２の励起光を発光する第２の励起光源と、
前記第１の励起光及び前記第２の励起光の内、運用中の励起光に応じて第１の波長の信号光を第２の波長の信号光に変換する波長変換部と、
前記運用中の励起光の異常を検出した場合に、前記第１の励起光源と前記第２の励起光源とで事前に設定した周波数に、前記第１の励起光及び前記第２の励起光の内、前記運用中の励起光以外の予備の励起光の周波数を揃えるように調整する調整部と、
調整後の前記予備の励起光を運用に切替える制御部と
を有することを特徴とする波長変換装置。
【発明の詳細な説明】
【技術分野】
【０００１】
本発明は、波長変換装置及び励起光切替方法に関する。
【背景技術】
【０００２】
増大し続ける光ネットワークのトラフィックに対し、例えば、ＷＤＭ（Wavelength  Division  Multiplex）光のチャネル数を増やして伝送容量を拡大する波長変換技術が知られている。波長変換技術では、励起光に応じて第１の波長のＷＤＭ光を、第１の波長と異なる第２の波長のＷＤＭ光に波長変換する波長変換装置が採用されている。
【０００３】
しかしながら、波長変換装置では、例えば、異常が発生する可能性が光アンプ等の一般的な光部品に比べて高いため、波長変換装置の冗長性を担保することが重要となる。また、波長変換装置では、波長変換に用いる励起光で異常が発生する可能性が高く、励起光に冗長性を持たせることが考えられる。しかしながら、励起光間で周波数がずれると、励起光の切替時に対向側の受信器で受信エラーが発生することになる。
【０００４】
例えば、送信側のＷＤＭ装置がＷＤＭ光を受信側のＷＤＭ装置に伝送するＷＤＭシステムでは、送信側のＷＤＭ装置と受信側のＷＤＭ装置との間に送信側の波長変換装置及び受信側の波長変換装置を配置する。送信側の波長変換装置は、励起光に応じて第１の波長のＷＤＭ光を第２の波長のＷＤＭ光に変換し、変換後の第２の波長のＷＤＭ光を受信側の波長変換装置に伝送する。更に、受信側の波長変換装置は、励起光に応じて第２の波長のＷＤＭ光を第１の波長のＷＤＭ光に変換し、変換後の第１の波長のＷＤＭ光を受信側のＷＤＭ装置に伝送する。つまり、送信側の波長変換装置で１回目の波長変換、受信側の波長変換装置で２回目の波長変換が行われる。
【０００５】
図３６は、波長変換装置における波長変換前のＷＤＭ光及び波長変換後のＷＤＭ光の一例を示す説明図である。波長変換装置は、図３６に示すように、励起光に応じて第１の波長のＷＤＭ光を第２の波長のＷＤＭ光に波長変換する。
【先行技術文献】
【特許文献】
【０００６】
【特許文献１】特開平４−３０２９号公報
【特許文献２】特開平４−１２１７１６号公報
【特許文献３】特開平６−３２６３８３号公報
【発明の概要】
【発明が解決しようとする課題】
【０００７】
しかしながら、波長変換装置は、例えば、最大±ΔｆＧＨｚの励起光源を使用する場合、温度変化等の周波数ドリフトにより、例えば、１回の波長変換で最大で±２ΔｆＧＨｚの周波数ズレが発生する虞がある。
【０００８】
図３７は、励起光周波数ズレ（ΔｆＧＨｚ）の波長変換前のＷＤＭ光及び波長変換後のＷＤＭ光の一例を示す説明図である。送信側の波長変換装置の１回目の波長変換で＋ΔｆＧＨｚの励起光の周波数ズレが生じた場合、波長変換後のＷＤＭ光には、図３７に示すように、＋２ΔｆＧＨｚの周波数ズレが発生する。
【０００９】
図３８は、１回目と２回目とで励起光の周波数ズレが逆向きの場合の波長変換前のＷＤＭ光及び波長変換後のＷＤＭ光の一例を示す説明図である。尚、１回目の励起光の周波数ズレは、例えば、送信側の波長変換装置の波長変換での励起光の周波数ズレとする。受信側の波長変換装置の２回目の波長変換で−ΔｆＧＨｚの励起光の周波数ズレが生じた場合、波長変換後のＷＤＭ光は、図３８に示すように、励起光と変換前のＷＤＭ光との波長関係から４ΔｆＧＨｚの周波数ズレが発生することになる。その結果、受信側のＷＤＭ装置では、例えば、±Ｆ（＜４Δｆ）ＧＨｚの周波数ズレまで追従できるコヒーレント光受信器を使用した場合でも、変換後のＷＤＭ光の４ΔｆＧＨｚの周波数ズレには追従できず、受信エラーが生じることになる。
【００１０】
一つの側面では、励起光の切替時の周波数ズレを抑制できる波長変換装置等を提供することを目的とする。
【課題を解決するための手段】
【００１１】
一つの態様の波長変換装置は、第１の励起光源と、第２の励起光源と、波長変換部と、測定部と、調整部と、制御部とを有する。第１の励起光源は、第１の励起光を発光する。第２の励起光源は、第２の励起光を発光する。波長変換部は、第１の励起光及び第２の励起光の内、運用中の励起光に応じて第１の波長の信号光を第２の波長の信号光に変換する。測定部は、運用中の励起光と、第１の励起光及び第２の励起光の内、運用中の励起光以外の予備の励起光との周波数差を測定する。調整部は、運用中の励起光の異常を検出した場合に、異常検出前の運用中の励起光の周波数に予備の励起光の周波数を揃えるように調整する。制御部は、予備の励起光の周波数を調整した後、調整後の予備の励起光を運用に切替える。
【発明の効果】
【００１２】
一つの態様では、励起光の切替時の周波数ズレを抑制できる。
【図面の簡単な説明】
【００１３】
【図１】図１は、本実施例のＷＤＭシステムの一例を示す説明図である。
【図２】図２は、実施例１の波長変換装置の一例を示す説明図である。
【図３】図３は、測定部の一例を示す説明図である。
【図４】図４は、第１の切替処理に関わる波長変換装置の処理動作の一例を示すフローチャートである。
【図５】図５は、実施例２の波長変換装置の一例を示す説明図である。
【図６】図６は、第２の切替処理に関わる波長変換装置の処理動作の一例を示すフローチャートである。
【図７】図７は、実施例３の波長変換装置の一例を示す説明図である。
【図８】図８は、実施例４の波長変換装置の一例を示す説明図である。
【図９】図９は、第３の切替処理に関わる波長変換装置の処理動作の一例を示すフローチャートである。
【図１０】図１０は、実施例５の波長変換装置の一例を示す説明図である。
【図１１】図１１は、第１の励起光源及び第３の励起光源を運用時の波長変換装置の光ＳＷ切替動作の一例を示す説明図である。
【図１２】図１２は、図１１に示す運用状態から第１の励起光源故障時の波長変換装置の光ＳＷ切替動作の一例を示す説明図である。
【図１３】図１３は、図１２に示す運用状態から第３の励起光源故障時の波長変換装置の光ＳＷ切替動作の一例を示す説明図である。
【図１４】図１４は、図１３に示す運用状態から第２の励起光源故障時の波長変換装置の光ＳＷ切替動作の一例を示す説明図である。
【図１５】図１５は、第４の切替処理に関わる波長変換装置の処理動作の一例を示すフローチャートである。
【図１６】図１６は、第５の切替処理に関わる波長変換装置の処理動作の一例を示すフローチャートである。
【図１７】図１７は、第６の切替処理に関わる波長変換装置の処理動作の一例を示すフローチャートである。
【図１８】図１８は、実施例６の波長変換装置の一例を示す説明図である。
【図１９】図１９は、第１の励起光源及び第３の励起光源を運用時の波長変換装置の光ＳＷ切替動作の一例を示す説明図である。
【図２０】図２０は、図１９に示す運用状態から第１の励起光源故障時の波長変換装置の光ＳＷ切替動作の一例を示す説明図である。
【図２１】図２１は、図２０に示す運用状態から第３の励起光源故障時の波長変換装置の光ＳＷ切替動作の一例を示す説明図である。
【図２２】図２２は、図２１に示す運用状態から第２の励起光源故障時の波長変換装置の光ＳＷ切替動作の一例を示す説明図である。
【図２３】図２３は、第７の切替処理に関わる波長変換装置の処理動作の一例を示すフローチャートである。
【図２４】図２４は、第８の切替処理に関わる波長変換装置の処理動作の一例を示すフローチャートである。
【図２５】図２５は、第９の切替処理に関わる波長変換装置の処理動作の一例を示すフローチャートである。
【図２６】図２６は、実施例７の波長変換装置の一例を示す説明図である。
【図２７】図２７は、第１０の切替処理に関わる波長変換装置の処理動作の一例を示すフローチャートである。
【図２８】図２８は、実施例８の波長変換装置の一例を示す説明図である。
【図２９】図２９は、実施例８の検出部の一例を示す説明図である。
【図３０】図３０は、異常検出の判定結果の一例を示す説明図である。
【図３１】図３１は、第１１の切替処理に関わる波長変換装置の処理動作の一例を示すフローチャートである。
【図３２】図３２は、実施例９の波長変換装置の一例を示す説明図である。
【図３３】図３３は、実施例９の検出部の一例を示す説明図である。
【図３４】図３４は、他の実施例のＷＤＭシステムの一例を示す説明図である。
【図３５】図３５は、他の実施例のＷＤＭシステムの一例を示す説明図である。
【図３６】図３６は、波長変換装置における波長変換前のＷＤＭ光及び波長変換後のＷＤＭ光の一例を示す説明図である。
【図３７】図３７は、励起光周波数ズレ（ΔｆＧＨｚ）の波長変換前のＷＤＭ光及び波長変換後のＷＤＭ光の一例を示す説明図である。
【図３８】図３８は、１回目と２回目とで励起光の周波数ズレが逆向きの場合の波長変換前のＷＤＭ光及び波長変換後のＷＤＭ光の一例を示す説明図である。
【発明を実施するための形態】
【００１４】
以下、図面に基づいて、本願の開示する波長変換装置及び励起光切替方法の実施例を詳細に説明する。尚、各実施例により、開示技術が限定されるものではない。また、以下に示す各実施例は、矛盾を起こさない範囲で適宜組み合わせても良い。
【実施例１】
【００１５】
図１は、本実施例のＷＤＭシステム１の一例を示す説明図である。図１に示すＷＤＭ（Wavelength  Division  Multiplex）システム１は、複数のＷＤＭ装置２と、複数の波長変換装置３とを有する。ＷＤＭ装置２は、第１のＷＤＭ装置２Ａと、対向側の第２のＷＤＭ装置２Ｂとを有する。ＷＤＭ装置２は、例えば、受信コヒーレント方式を採用している。波長変換装置３は、単一の励起光を使用して第１の波長のＷＤＭ光を第２の波長のＷＤＭ光に波長変換する。波長変換装置３は、第１の波長変換装置３Ａと、対向側の第２の波長変換装置３Ｂとを有する。第１のＷＤＭ装置２Ａは、光ファイバ４で第２のＷＤＭ装置２Ｂと接続する。第１のＷＤＭ装置２Ａと第２のＷＤＭ装置２Ｂとの間の光ファイバ４には、第１の波長変換装置３Ａ及び第２の波長変換装置３Ｂを配置している。
【００１６】
第１のＷＤＭ装置２Ａは、第１の波長、例えば、Ｃ帯の信号光を合波し、合波後のＣ帯のＷＤＭ光を第１の波長変換装置３Ａに出力する。第１の波長変換装置３Ａは、励起光に応じてＣ帯(Conventional  Band)のＷＤＭ光を、第２の波長、例えば、Ｌ帯(Long-wavelength  Band)のＷＤＭ光に波長変換し、変換後のＬ帯のＷＤＭ光を光ファイバ４に出力する。
【００１７】
第２の波長変換装置３Ｂは、第１の波長変換装置３ＡからのＬ帯のＷＤＭ光を励起光に応じてＣ帯のＷＤＭ光に波長変換し、波長変換後のＣ帯のＷＤＭ光を第２のＷＤＭ装置２Ｂに出力する。第２のＷＤＭ装置２Ｂは、Ｃ帯のＷＤＭ光を各波長の信号光に分波し、分波後の信号光を各光送受信器に出力する。
【００１８】
図２は、実施例１の波長変換装置３の一例を示す説明図である。図２に示す波長変換装置３は、励起光源１１と、冗長用励起光源１２と、光ＳＷ１３と、励起光増幅部１４と、光カプラ１５と、波長変換部１６とを有する。更に、波長変換装置３は、測定部１７と、検出部１８と、調整部１９と、制御部２０と、第１の光カプラ２１Ａと、第２の光カプラ２１Ｂと、第３の光カプラ２１Ｃとを有する。
【００１９】
励起光源１１は、運用中の励起光を発光する、例えば、第１の励起光源である。冗長用励起光源１２は、励起光源１１の切替時に予備の励起光を発光する、例えば、第２の励起光源である。光ＳＷ１３は、励起光源１１又は冗長用励起光源１２の励起光を励起光増幅部１４に切替出力するスイッチである。励起光増幅部１４は、光ＳＷ１３の出力である励起光を光増幅するアンプである。光カプラ１５は、図示せぬ各光送受信器からの異なる波長の信号光と、励起光増幅部１４からの励起光とを合波し、合波後の信号光を波長変換部１６に出力する。波長変換部１６は、合波後の信号光を励起光に応じて異なる波長帯、例えば、Ｃ帯のＷＤＭ光をＬ帯のＷＤＭ光に波長変換する。
【００２０】
第１の光カプラ２１Ａは、励起光源１１と光ＳＷ１３との間に配置され、励起光源１１からの励起光を測定部１７及び光ＳＷ１３に分岐出力する。第２の光カプラ２１Ｂは、冗長用励起光源１２と光ＳＷ１３との間に配置され、冗長用励起光源１２からの励起光を測定部１７及び光ＳＷ１３に分岐出力する。第３の光カプラ２１Ｃは、励起光増幅部１４と光カプラ１５との間に配置され、励起光増幅部１４からの励起光を光カプラ１５及び検出部１８に分岐出力する。
【００２１】
測定部１７は、第１の光カプラ２１Ａ経由の励起光源１１からの運用中の励起光と、第２の光カプラ２１Ｂ経由の冗長用励起光源１２からの励起光との周波数差を測定する。測定部１７は、周波数差に応じた調整量を算出し、算出した調整量を調整部１９に出力する。尚、調整量は、冗長用励起光源１２からの励起光の周波数を、異常検出前の励起光源１１からの励起光の周波数に揃える、すなわち周波数差が零となるための調整量である。尚、異常検出前の励起光の周波数とは、例えば、検出部１８にて励起光の異常を検出する前の段階で一定時間毎に測定した際の励起光の周波数である。一定時間とは、測定部１７が周波数差を測定する際の周期タイミングである。
【００２２】
検出部１８は、第３の光カプラ２１Ｃ経由の励起光増幅部１４からの励起光の光強度を検出し、光強度に基づき、励起光の異常を検出したか否かを判定する。尚、光強度は、例えば、励起光の電流値若しくは出力パワー等相当の強度である。検出部１８は、励起光の異常を検出した場合、励起光の異常を調整部１９及び制御部２０に出力する。調整部１９は、励起光の異常を検出した場合、調整量に応じて冗長用励起光源１２からの励起光の周波数を調整する。その結果、冗長用励起光源１２は、異常検出前の励起光源１１の励起光の周波数と同じ調整後の励起光を出力する。そして、光ＳＷ１３は、励起光の異常を検出した場合、励起光源１１から冗長用励起光源１２の励起光に入力を切替える。
【００２３】
図３は、測定部１７の一例を示す説明図である。図３に示す測定部１７は、合波部３１と、ＰＤ（Photo  Diode）３２と、Ａ／Ｄ変換部３３と、スペクトル変換部３４と、ピーク検出部３５と、周波数調整部３６とを有する。合波部３１は、第１の光カプラ２１Ａ経由の励起光源１１からの励起光と第２の光カプラ２１Ｂ経由の冗長用励起光源１２からの励起光とを合波する。ＰＤ３２は、合波部３１で合波後の励起光を電気変換する。Ａ／Ｄ変換部３３は、電気変換後の励起光信号をデジタル変換する。スペクトル変換部３４は、デジタル変化後の励起光信号をスペクトル変換する。ピーク検出部３５は、スペクトル変換後の励起光信号のピークを検出する。周波数調整部３６は、励起光信号のピークで調整量を算出する。
【００２４】
次に実施例１のＷＤＭシステム１の動作について説明する。図４は、第１の切替処理に関わる波長変換装置３の処理動作の一例を示すフローチャートである。図４において波長変換装置３内の測定部１７は、励起光源１１からの励起光の周波数と冗長用励起光源１２からの励起光の周波数との周波数差を測定する（ステップＳ１１）。測定部１７は、周波数差に基づき、波長変換装置３内の調整部１９に異常検出前の調整量を出力する（ステップＳ１２）。
【００２５】
調整部１９は、調整量に基づき、冗長用励起光源１２の励起光の周波数を調整する（ステップＳ１３）。その結果、冗長用励起光源１２は、励起光の周波数が励起光源１１の励起光の周波数と同じになる。波長変換装置３内の検出部１８は、励起光源１１の励起光の光強度をモニタする（ステップＳ１４）。検出部１８は、励起光の光強度が閾値未満であるか否かを判定する（ステップＳ１５）。尚、閾値は、励起光の異常を検出するための光強度の閾値である。
【００２６】
波長変換装置３内の制御部２０は、光強度が閾値未満の場合（ステップＳ１５肯定）、励起光が異常と判断し、冗長用励起光源１２と励起光増幅部１４とを切替接続すべく、光ＳＷ１３を制御し（ステップＳ１６）、図４に示す処理動作を終了する。その結果、励起光増幅部１４は、冗長用励起光源１２から調整後の励起光を入力し、当該調整後の励起光を増幅して光カプラ１５に出力する。
【００２７】
検出部１８は、光強度が閾値未満でない場合（ステップＳ１５否定）、励起光源１１からの励起光が正常と判断し、一定時間を経過したか否かを判定する（ステップＳ１７）。検出部１８は、一定時間を経過した場合（ステップＳ１７肯定）、励起光源１１と冗長用励起光源１２との周波数差を測定すべく、ステップＳ１１に移行する。検出部１８は、一定時間を経過したのでない場合（ステップＳ１７否定）、励起光の光強度をモニタすべく、ステップＳ１４に移行する。
【００２８】
実施例１の波長変換装置３では、励起光源１１からの運用中の励起光と、冗長用励起光源１２からの予備の励起光との周波数差を測定する。波長変換装置３は、運用中の励起光の異常を検出した場合に、異常検出前の周波数差に応じた調整量に基づき、異常検出前の運用中の励起光の周波数に予備の励起光の周波数を調整する。波長変換装置３は、予備の励起光の周波数を調整した後、予備の励起光の周波数を異常検出前の運用中の励起光の周波数に揃えた後に励起光源１１から冗長用励起光源１２に切替える。その結果、励起光の周波数ズレを抑制する、すなわち励起光間で周波数を揃えることで、ＷＤＭ装置２では、運用中の励起光の異常時にも瞬断なく、通信が継続可能となるため、受信エラーを回避できる。
【００２９】
尚、実施例１の波長変換装置３では、単一波長の励起光を用いて波長変換する場合を例示したが、単一波長の励起光に限定されるものではなく、２波長の励起光を用いて波長変換しても良く、その実施の形態につき、実施例２として以下に説明する。
【実施例２】
【００３０】
図５は、実施例２の波長変換装置３Ｃの一例を示す説明図である。尚、実施例１のＷＤＭシステム１と同一の構成には同一符号を付すことで、その重複する構成及び動作の説明については省略する。図５に示す波長変換装置３Ｃは、２波長の励起光を用いてＷＤＭ光を波長変換する。波長変換装置３Ｃは、第１の励起光源１１Ａと、第２の励起光源１１Ｂと、冗長用励起光源１２と、第１の光ＳＷ１３Ａと、第２の光ＳＷ１３Ｂと、第３の光ＳＷ１３Ｃと、第４の光ＳＷ１３Ｄとを有する。波長変換装置３Ｃは、ＷＤＭ光と、ＷＤＭ光側の長波長側に２本の励起光とを入力した場合、非縮退四光は２本の励起光を中心に長波長側に波長変換後のＷＤＭ光が出力する。波長変換装置３Ｃは、測定部１７Ａと、検出部１８Ａと、調整部１９Ａと、制御部２０Ａとを有する。波長変換装置３Ｃは、第１１の光カプラ２２Ａと、第１２の光カプラ２２Ｂと、第１３の光カプラ２２Ｃと、第１４の光カプラ２２Ｄと、第１５の光カプラ２２Ｅと、第１６の光カプラ２２Ｆとを有する。
【００３１】
第１の励起光源１１Ａは、第１の励起光を発光する。第２の励起光源１１Ｂは、第２の励起光を発光する。冗長用励起光源１２は、第１の励起光源１１Ａ又は第２の励起光源１１Ｂの切替時に使用する予備の励起光を発光する。
【００３２】
第１の光ＳＷ１３Ａは、冗長用励起光源１２と、第２の光ＳＷ１３Ｂ及び第３の光ＳＷ１３Ｃとの間に配置され、冗長用励起光源１２からの予備の励起光を第２の光ＳＷ１３Ｂ又は第３の光ＳＷ１３Ｃに切替出力するスイッチである。第２の光ＳＷ１３Ｂは、第１の励起光源１１Ａ及び第１の光ＳＷ１３Ａと、励起光増幅部１４との間に配置され、第１の励起光源１１Ａからの第１の励起光又は第１の光ＳＷ１３Ａからの予備の励起光を励起光増幅部１４に切替出力するスイッチである。第３の光ＳＷ１３Ｃは、第２の励起光源１１Ｂ及び第１の光ＳＷ１３Ａと、励起光増幅部１４との間に配置され、第２の励起光源１１Ｂからの第２の励起光又は第１の光ＳＷ１３Ａからの励起光を励起光増幅部１４に切替出力するスイッチである。第４の光ＳＷ１３Ｄは、第１の励起光源１１Ａ及び第２の励起光源１１Ｂと、測定部１７との間に配置され、第１の励起光源１１Ａからの第１の励起光又は第２の励起光源１１Ｂからの第２の励起光を測定部１７に切替出力するスイッチである。
【００３３】
第１１の光カプラ２２Ａは、冗長用励起光源１２と第１の光ＳＷ１３Ａとの間に配置され、冗長用励起光源１２からの予備の励起光を第１の光ＳＷ１３Ａ及び測定部１７Ａに分岐出力する。第１２の光カプラ２２Ｂは、第１の励起光源１１Ａと第２の光ＳＷ１３Ｂとの間に配置され、第１の励起光源１１Ａからの第１の励起光を第２の光ＳＷ１３Ｂ及び第４の光ＳＷ１３Ｄに分岐出力する。第１３の光カプラ２２Ｃは、第２の励起光源１１Ｂと第３の光ＳＷ１３Ｃとの間に配置され、第２の励起光源１１Ｂからの第２の励起光を第３の光ＳＷ１３Ｃ及び第４の光ＳＷ１３Ｄに分岐出力する。
【００３４】
第１４の光カプラ２２Ｄは、第２の光ＳＷ１３Ｂ及び第３の光ＳＷ１３Ｃと、励起光増幅部１４との間に配置され、第２の光ＳＷ１３Ｂからの励起光及び第３の光ＳＷ１３Ｃからの励起光を励起光増幅部１４に合波出力する。第１５の光カプラ２２Ｅは、第１２の光カプラ２２Ｂと、第４の光ＳＷ１３Ｄ及び検出部１８Ａとの間に配置され、第１２の光カプラ２２Ｂからの第１の励起光を検出部１８Ａ及び第４の光ＳＷ１３Ｄに分岐出力する。第１６の光カプラ２２Ｆは、第１３の光カプラ２２Ｃと、第４の光ＳＷ１３Ｄ及び検出部１８Ａとの間に配置され、第１３の光カプラ２２Ｃからの第２の励起光を検出部１８Ａ及び第４の光ＳＷ１３Ｄに分岐出力する。
【００３５】
検出部１８Ａは、第１５の光カプラ２２Ｅ経由の第１の励起光又は第１６の光カプラ２２Ｆ経由の第２の励起光の光強度が閾値未満であるか否かを判定する。検出部１８Ａは、励起光の光強度が閾値未満の場合、励起光の異常と判定する。制御部２０Ａは、励起光の異常と判定された場合、第１の光ＳＷ１３Ａ、第２の光ＳＷ１３Ｂ及び第３の光ＳＷ１３Ｃを切替制御する。
【００３６】
制御部２０Ａは、第１の励起光の異常と判定された場合、第１の励起光源１１Ａ→第２の光ＳＷ１３Ｂ→励起光増幅部１４の経路を冗長用励起光源１２→第１の光ＳＷ１３Ａ→第２の光ＳＷ１３Ｂ→励起光増幅部１４の経路に切替える。その結果、第１の励起光源１１Ａからの第１の励起光の代わりに冗長用励起光源１２からの予備の励起光を発光する。また、制御部２０Ａは、第２の励起光の異常と判定された場合、第２の励起光源１１Ｂ→第３の光ＳＷ１３Ｃ→励起光増幅部１４の経路を冗長用励起光源１２→第１の光ＳＷ１３Ａ→第３の光ＳＷ１３Ｃ→励起光増幅部１４の経路に切替える。その結果、第２の励起光源１１Ｂからの第２の励起光に代わりに冗長用励起光源１２からの予備の励起光を発光する。
【００３７】
測定部１７Ａは、第１の励起光の周波数と冗長用励起光源１２からの予備の励起光の周波数との第１の周波数差を測定すると共に、第２の励起光の周波数と冗長用励起光源１２からの予備の励起光の周波数との第２の周波数差を測定する。更に、測定部１７Ａは、第１の周波数差に応じた第１の調整量及び、第２の周波数差に応じた第２の調整量を調整部１９Ａに出力する。
【００３８】
調整部１９Ａは、第１の励起光の異常と判定された場合、第１の調整量に基づき、冗長用励起光源１２の予備の励起光の周波数を調整し、調整後の励起光を冗長用励起光源１２から発光する。また、調整部１９は、第２の励起光の異常と判定された場合、第２の調整量に基づき、冗長用励起光源１２の予備の励起光の周波数を調整し、調整後の励起光を冗長用励起光源１２から発光する。
【００３９】
次に実施例２のＷＤＭシステム１の動作について説明する。図６は、第２の切替処理に関わる波長変換装置３Ｃの処理動作の一例を示すフローチャートである。図６において波長変換装置３Ｃ内の制御部２０Ａは、第１の励起光源１１Ａと測定部１７Ａとを接続すべく、第４の光ＳＷ１３Ｄを制御する（ステップＳ２１）。測定部１７Ａは、第１の励起光源１１Ａからの第１の励起光の周波数と冗長用励起光源１２からの予備の励起光の周波数との第１の周波数差を測定する（ステップＳ２２）。測定部１７Ｂは、第１の周波数差に応じた異常検出前の第１の調整量を保持する（ステップＳ２３）。
【００４０】
次に制御部２０Ａは、第２の励起光源１１Ｂと測定部１７Ａとを接続すべく、第４の光ＳＷ１３Ｄを制御する（ステップＳ２４）。測定部１７Ａは、第２の励起光源１１Ｂからの第２の励起光の周波数と冗長用励起光源１２からの予備の励起光の周波数との第２の周波数差を測定する（ステップＳ２５）。測定部１７Ａは、第２の周波数差に応じた異常検出前の第２の調整量を保持する（ステップＳ２６）。
【００４１】
波長変換装置３Ｃ内の検出部１８Ａは、第１の励起光源１１Ａ及び第２の励起光源１１Ｂの励起光の光強度をモニタする（ステップＳ２７）。検出部１８Ａは、第１の励起光の光強度が閾値未満であるか否かを判定する（ステップＳ２８）。
【００４２】
測定部１７Ａは、第１の励起光の光強度が閾値未満の場合（ステップＳ２８肯定）、第１の励起光の異常と判断し、第１の調整量を調整部１９Ａに出力する（ステップＳ２９）。調整部１９Ａは、第１の調整量に基づき、冗長用励起光源１２の予備の励起光の周波数を調整する（ステップＳ３０）。その結果、冗長用励起光源１２は、予備の励起光の周波数が第１の励起光源１１Ａの異常検出前の第１の励起光の周波数と同じになる。制御部２０Ａは、冗長用励起光源１２→第１の光ＳＷ１３Ａ→第２の光ＳＷ１３Ｂ→励起光増幅部１４の経路に切替えるべく、第１の光ＳＷ１３Ａ及び第２の光ＳＷ１３Ｂを制御する（ステップＳ３１及び３２）。その結果、第１の励起光の代わりに、冗長用励起光源１２からの予備の励起光を励起光増幅部１４に発光することになる。
【００４３】
検出部１８Ａは、第１の励起光の光強度が閾値未満でない場合（ステップＳ２８否定）、第１の励起光が正常と判断し、第２の励起光の光強度が閾値未満であるか否かを判定する（ステップＳ３３）。測定部１７Ａは、第２の励起光の光強度が閾値未満の場合（ステップＳ３３肯定）、第２の励起光の異常と判断し、第２の調整量を冗長用励起光源１２に出力する（ステップＳ３４）。調整部１９Ａは、第２の調整量に基づき、冗長用励起光源１２の励起光の周波数を調整する（ステップＳ３５）。その結果、冗長用励起光源１２は、予備の励起光の周波数が第２の励起光源１１Ｂの異常検出前の第２の励起光の周波数と同じになる。制御部２０Ａは、冗長用励起光源１２→第１の光ＳＷ１３Ａ→第３の光ＳＷ１３Ｃ→励起光増幅部１４の経路に切替えるべく、第１の光ＳＷ１３Ａ及び第３の光ＳＷ１３Ｃを制御する（ステップＳ３６及び３７）。その結果、第２の励起光の代わりに、冗長用励起光源１２からの予備の励起光を励起光増幅部１４に発光することになる。
【００４４】
検出部１８Ａは、第２の励起光の光強度が閾値未満でない場合（ステップＳ３３否定）、第２の励起光が正常と判断し、一定時間を経過したか否かを判定する（ステップＳ３８）。検出部１８Ａは、一定時間を経過した場合（ステップＳ３８肯定）、第４の光ＳＷ１３Ｄを制御すべく、ステップＳ２１に移行する。検出部１８Ａは、一定時間を経過したのでない場合（ステップＳ３８否定）、第１の励起光及び第２の励起光の光強度をモニタすべく、ステップＳ２７に移行する。
【００４５】
実施例２の波長変換装置３Ｃでは、第１の励起光源１１Ａ及び第２の励起光源１１Ｂからの運用中の励起光と、冗長用励起光源１２からの予備の励起光との周波数差を測定する。波長変換装置３Ｃは、運用中の第１の励起光の異常を検出した場合に、異常検出前の第１の周波数差に応じた第１の調整量に基づき、異常検出前の運用中の第１の励起光の周波数に冗長用励起光源１２からの予備の励起光の周波数を調整する。波長変換装置３Ｃは、予備の励起光の周波数を調整した後、予備の励起光の周波数を異常検出前の運用中の第１の励起光の周波数に揃えた後に第１の励起光源１１Ａから冗長用励起光源１２に切替える。その結果、励起光の周波数ズレを抑制する、すなわち励起光間で周波数を揃えることで、ＷＤＭ装置２では、運用中の励起光の異常時にも瞬断なく、通信が継続可能となるため、受信エラーを回避できる。
【００４６】
また、波長変換装置３Ｃは、運用中の第２の励起光の異常を検出した場合に、異常検出前の第２の周波数差に応じた第２の調整量に基づき、異常検出前の運用中の第２の励起光の周波数に冗長用励起光源１２からの予備の励起光の周波数を調整する。波長変換装置３Ｃは、予備の励起光の周波数を調整した後、予備の励起光の周波数を異常検出前の運用中の第２の励起光の周波数に揃えた後に第２の励起光源１１Ｂから冗長用励起光源１２に切替える。その結果、励起光間で周波数を揃えることで、ＷＤＭ装置２では、運用中の励起光の異常時にも瞬断なく、通信が継続可能となるため、受信エラーを回避できる。
【００４７】
尚、実施例２の波長変換装置３Ｃでは、第１の励起光及び第２の励起光を合波し、合波後の第１の励起光及び第２の励起光を励起光増幅部１４で一括増幅する場合を例示したが、並列増幅でも良く、その実施の形態につき、実施例３として以下に説明する。
【実施例３】
【００４８】
図７は、実施例３の波長変換装置３Ｄの一例を示す説明図である。尚、実施例２の波長変換装置３Ｃと同一の構成には同一符号を付すことで、その重複する構成及び動作の説明については省略する。実施例２の波長変換装置３Ｃと実施例３の波長変換装置３Ｄとが異なるところは、第１の励起光増幅部１４Ａと、第２の励起光増幅部１４Ｂと、第１７の光カプラ２２Ｇとを有する点にある。
【００４９】
第１の励起光増幅部１４Ａは、第２の光ＳＷ１３Ｂからの第１の励起光源１１Ａからの第１の励起光又は冗長用励起光源１２からの予備の励起光を光増幅し、光増幅後の励起光を第１７の光カプラ２２Ｇに出力する。第２の励起光増幅部１４Ｂは、第３の光ＳＷ１３Ｃからの第２の励起光源１１Ｂからの第２の励起光又は冗長用励起光源１２からの予備の励起光を光増幅し、光増幅後の励起光を第１７の光カプラ２２Ｇに出力する。第１７の光カプラ２２Ｇは、第１の励起光増幅部１４Ａからの励起光と、第２の励起光増幅部１４Ｂからの励起光とを合波し、合波後の励起光及び励起光を光カプラ１５に出力する。
【００５０】
実施例３の波長変換装置３Ｄでは、第１の励起光源１１Ａ及び第２の励起光源１１Ｂからの運用中の励起光と、冗長用励起光源１２からの予備の励起光との周波数差を測定する。波長変換装置３Ｄは、運用中の第１の励起光の異常を検出した場合に、異常検出前の第１の周波数差に応じた第１の調整量に基づき、異常検出前の運用中の第１の励起光の周波数に冗長用励起光源１２からの予備の励起光の周波数を調整する。波長変換装置３Ｄは、予備の励起光の周波数を調整した後、予備の励起光の周波数を異常検出前の運用中の第１の励起光の周波数に揃えた後に第１の励起光源１１Ａから冗長用励起光源１２に切替える。その結果、励起光の周波数ズレを抑制する、すなわち励起光間で周波数を揃えることで、ＷＤＭ装置２では、運用中の励起光の異常時にも瞬断なく、通信が継続可能となるため、受信エラーを回避できる。
【００５１】
波長変換装置３Ｄは、運用中の第２の励起光の異常を検出した場合に、異常検出前の第２の周波数差に応じた第２の調整量に基づき、異常検出前の運用中の第２の励起光の周波数に冗長用励起光源１２からの予備の励起光の周波数を調整する。波長変換装置３Ｄは、予備の励起光の周波数を調整した後、予備の励起光の周波数を異常検出前の運用中の第２の励起光の周波数に揃えた後に第２の励起光源１１Ｂから冗長用励起光源１２に切替える。その結果、励起光間で周波数を揃えることで、ＷＤＭ装置２では、運用中の励起光の異常時にも瞬断なく、通信が継続可能となるため、受信エラーを回避できる。
【００５２】
尚、実施例２の波長変換装置３Ｃでは、冗長専用の冗長用励起光源１２を配置する場合を例示したが、冗長用励起光源１２に限定されるものではない。第１〜第３の励起光源１１Ａ〜１１Ｃの内、２個の励起光源１１を運用に使用し、残り１個の励起光源１１を冗長用に使用しても良く、その場合の実施の形態につき、実施例４として以下に説明する。
【実施例４】
【００５３】
図８は、実施例４の波長変換装置３Ｅの一例を示す説明図である。尚、実施例２の波長変換装置３Ｃと同一の構成には同一符号を付すことで、その重複する構成及び動作の説明については省略する。図８に示す波長変換装置３Ｅは、第１の励起光源１１Ａと、第２の励起光源１１Ｂと、第３の励起光源１１Ｃと、第５の光ＳＷ１３Ｅと、第６の光ＳＷ１３Ｆと、第１の励起光増幅部１４Ａと、第２の励起光増幅部１４Ｂとを有する。波長変換装置３Ｅは、測定部１７Ｂと、検出部１８Ｂと、調整部１９Ｂと、制御部２０Ｂとを有する。
【００５４】
第１の励起光源１１Ａは、第１の励起光を発光する。第２の励起光源１１Ｂは、第２の励起光を発光する。第３の励起光源１１Ｃは、第３の励起光を発光する。第５の光ＳＷ１３Ｅは、第１の励起光源１１Ａ、第２の励起光源１１Ｂ及び第３の励起光源１１Ｃと、第１の励起光増幅部１４Ａ及び第２の励起光増幅部１４Ｂとの間に配置され、３入力×２出力の光スイッチである。第６の光ＳＷ１３Ｆは、第１の励起光源１１Ａ、第２の励起光源１１Ｂ及び第３の励起光源１１Ｃと、測定部１７Ｂとの間に配置され、３入力×２出力の光スイッチである。
【００５５】
波長変換装置３Ｅは、第２１の光カプラ２３Ａと、第２２の光カプラ２３Ｂと、第２３の光カプラ２３Ｃと、第２４の光カプラ２３Ｄと、第２５の光カプラ２３Ｅと、第２６の光カプラ２３Ｆとを有する。第２１の光カプラ２３Ａは、第１の励起光源１１Ａと、第５の光ＳＷ１３Ｅ及び第６の光ＳＷ１３Ｆとの間に配置され、第１の励起光源１１Ａからの第１の励起光を第５の光ＳＷ１３Ｅ及び第６の光ＳＷ１３Ｆに分岐出力する。第２２の光カプラ２３Ｂは、第２の励起光源１１Ｂと、第５の光ＳＷ１３Ｅ及び第６の光ＳＷ１３Ｆとの間に配置され、第２の励起光源１１Ｂからの第２の励起光を第５の光ＳＷ１３Ｅ及び第６の光ＳＷ１３Ｆに分岐出力する。第２３の光カプラ２３Ｃは、第３の励起光源１１Ｃと、第５の光ＳＷ１３Ｅ及び第６の光ＳＷ１３Ｆとの間に配置され、第３の励起光源１１Ｃからの第３の励起光を第５の光ＳＷ１３Ｅ及び第６の光ＳＷ１３Ｆに分岐出力する。
【００５６】
第２４の光カプラ２３Ｄは、第５の光ＳＷ１３Ｅと、第１の励起光増幅部１４Ａ及び検出部１８Ｂとの間に配置され、第５の光ＳＷ１３Ｅからの励起光を検出部１８Ｂ及び第１の励起光増幅部１４Ａに分岐出力する。第２５の光カプラ２３Ｅは、第５の光ＳＷ１３Ｅと、第２の励起光増幅部１４Ｂ及び検出部１８Ｂとの間に配置され、第５の光ＳＷ１３Ｅからの励起光を検出部１８Ｂ及び第２の励起光増幅部１４Ｂに分岐出力する。第２６の光カプラ２３Ｆは、第１の励起光増幅部１４Ａ及び第２の励起光増幅部１４Ｂと、光カプラ１５との間に配置され、第１の励起光増幅部１４Ａからの励起光及び第２の励起光増幅部１４Ｂからの励起光を合波出力する。
【００５７】
検出部１８Ｂは、第２４の光カプラ２３Ｄ経由の励起光又は第２５の光カプラ２３Ｅ経由の励起光の光強度が閾値未満であるか否かを判定する。検出部１８Ｂは、励起光の光強度が閾値未満の場合、励起光の異常と判定する。制御部２０Ｂは、励起光の異常と判定された場合、第５の光ＳＷ１３Ｅ及び第６の光ＳＷ１３Ｆを制御する。
【００５８】
尚、説明の便宜上、第１の励起光源１１Ａ及び第２の励起光源１１Ｂを運用中、第３の励起光源１１Ｃを予備とした場合を想定して説明する。
【００５９】
制御部２０Ｂは、第１の励起光の異常と判定された場合、第１の励起光源１１Ａ→第５の光ＳＷ１３Ｅ→第１の励起光増幅部１４Ａ又は第２の励起光増幅部１４Ｂの経路を次のように切替える。すなわち、第３の励起光源１１Ｃ→第５の光ＳＷ１３Ｅ→第１の励起光増幅部１４Ａ又は第２の励起光増幅部１４Ｂの経路に切替える。その結果、第１の励起光源１１Ａからの第１の励起光の代わりに第３の励起光源１１Ｃからの第３の励起光を発光する。制御部２０Ｂは、第２の励起光の異常と判定された場合、第２の励起光源１１Ｂ→第５の光ＳＷ１３Ｅ→第１の励起光増幅部１４Ａ又は第２の励起光増幅部１４Ｂの経路を次のように切替える。すなわち、第３の励起光源１１Ｃ→第５の光ＳＷ１３Ｅ→第１の励起光増幅部１４Ａ又は第２の励起光増幅部１４Ｂの経路に切替える。その結果、第２の励起光源１１Ｂからの第２の励起光の代わりに第３の励起光源１１Ｃからの第３の励起光を発光する。
【００６０】
測定部１７Ｂは、第１の励起光の周波数と第３の励起光（予備）の周波数との第１の周波数差を測定すると共に、第２の励起光の周波数と第３の励起光（予備）の周波数との第２の周波数差を測定する。更に、測定部１７Ｂは、第１の周波数差に応じた第１の調整量及び、第２の周波数差に応じた第２の調整量を調整部１９Ｂに出力する。
【００６１】
調整部１９Ｂは、第１の励起光の異常と判定された場合、第１の調整量に基づき、第３の励起光源１１Ｃの第３の励起光の周波数を調整し、調整後の第３の励起光を第３の励起光源１１Ｃから発光する。また、調整部１９Ｂは、第２の励起光の異常と判定された場合、第２の調整量に基づき、第３の励起光源１１Ｃの第３の励起光の周波数を調整し、調整後の第３の励起光を第３の励起光源１１Ｃから発光する。
【００６２】
次に実施例４のＷＤＭシステム１の動作について説明する。図９は、第３の切替処理に関わる波長変換装置３Ｅの処理動作の一例を示すフローチャートである。図９において波長変換装置３Ｅ内の制御部２０Ｂは、第１の励起光源１１Ａ及び第３の励起光源１１Ｃと、測定部１７Ｂとを接続すべく、第６の光ＳＷ１３Ｆを制御する（ステップＳ４１）。測定部１７Ｂは、第１の励起光源１１Ａからの第１の励起光の周波数と第３の励起光源１１Ｃからの第３の励起光の周波数との第１の周波数差を測定する（ステップＳ４２）。測定部１７Ｂは、第１の周波数差に応じた異常検出前の第１の調整量を保持する（ステップＳ４３）。
【００６３】
次に制御部２０Ｂは、第２の励起光源１１Ｂ及び第３の励起光源１１Ｃと、測定部１７Ｂとを接続すべく、第６の光ＳＷ１３Ｆを制御する（ステップＳ４４）。測定部１７Ｂは、第２の励起光源１１Ｂからの第２の励起光の周波数と第３の励起光源１１Ｃからの第３の励起光の周波数との第２の周波数差を測定する（ステップＳ４５）。測定部１７Ｂは、第２の周波数差に応じた異常検出前の第２の調整量を保持する（ステップＳ４６）。
【００６４】
波長変換装置３Ｅ内の検出部１８Ｂは、第１の励起光源１１Ａ及び第２の励起光源１１Ｂの励起光の光強度をモニタする（ステップＳ４７）。検出部１８Ｂは、第１の励起光の光強度が閾値未満であるか否かを判定する（ステップＳ４８）。
【００６５】
測定部１７Ｂは、第１の励起光の光強度が閾値未満の場合（ステップＳ４８肯定）、第１の励起光の異常と判断し、第１の調整量を調整部１９Ｂに出力する（ステップＳ４９）。調整部１９Ｂは、第１の調整量に基づき、第３の励起光源１１Ｃの第３の励起光の周波数を調整する（ステップＳ５０）。その結果、第３の励起光源１１Ｃは、第３の励起光の周波数が第１の励起光源１１Ａの異常検出前の第１の励起光の周波数と同じになる。制御部２０Ｂは、第３の励起光源１１Ｃ→第５の光ＳＷ１３Ｅ→第１の励起光増幅部１４Ａ又は第２の励起光増幅部１４Ｂの経路に切替えるべく、第５の光ＳＷ１３Ｅを制御する（ステップＳ５１）。その結果、第１の励起光の代わりに、第３の励起光源１１Ｃからの第３の励起光を第１の励起光増幅部１４Ａ又は第２の励起光増幅部１４Ｂに出力することになる。
【００６６】
検出部１８Ｂは、第１の励起光の光強度が閾値未満でない場合（ステップＳ４８否定）、第１の励起光が正常と判断し、第２の励起光の光強度が閾値未満であるか否かを判定する（ステップＳ５２）。測定部１７Ｂは、第２の励起光の光強度が閾値未満の場合（ステップＳ５２肯定）、第２の励起光の異常と判断し、第２の調整量を調整部１９Ｂに出力する（ステップＳ５３）。調整部１９Ｂは、第２の調整量に基づき、第３の励起光源１１Ｃの第３の励起光の周波数を調整する（ステップＳ５４）。その結果、第３の励起光源１１Ｃは、第３の励起光の周波数が第２の励起光源１１Ｂの異常検出前の第２の励起光の周波数と同じになる。制御部２０Ｂは、第３の励起光源１１Ｃ→第５の光ＳＷ１３Ｅ→第２の励起光増幅部１４Ｂ又は第１の励起光増幅部１４Ａの経路に切替えるべく、第５の光ＳＷ１３Ｅを制御する（ステップＳ５５）。その結果、第２の励起光の代わりに、第２の励起光を第２の励起光増幅部１４Ｂ又は第１の励起光増幅部１４Ａに出力することになる。
【００６７】
検出部１８Ｂは、第２の励起光の光強度が閾値未満でない場合（ステップＳ５２否定）、第２の励起光が正常と判断し、一定時間を経過したか否かを判定する（ステップＳ５６）。検出部１８Ｂは、一定時間を経過した場合（ステップＳ５６肯定）、第６の光ＳＷ１３Ｆを制御すべく、ステップＳ４１に移行する。検出部１８Ｂは、一定時間を経過したのでない場合（ステップＳ５６否定）、第１の励起光及び第２の励起光の光強度をモニタすべく、ステップＳ４７に移行する。
【００６８】
実施例４の波長変換装置３Ｅでは、運用中の励起光が第１及び第２の励起光、予備の励起光が第３の励起光であって、第１の励起光の異常を検出した場合、第１の調整量に応じて第３の励起光を調整し、異常検出の第１の励起光を調整後の第３の励起光に切替える。その結果、励起光の周波数ズレを抑制する、すなわち励起光間で周波数を揃えることで、ＷＤＭ装置２では、運用中の励起光の異常時にも瞬断なく、通信が継続可能となるため、受信エラーを回避できる。
【００６９】
波長変換装置３Ｅは、運用中の励起光が第１及び第２の励起光、予備の励起光が第３の励起光であって、第２の励起光の異常を検出した場合、第２の調整量に応じて第３の励起光を調整し、異常検出の第２の励起光を調整後の第３の励起光に切替える。その結果、励起光間で周波数を揃えることで、ＷＤＭ装置２では、運用中の励起光の異常時にも瞬断なく、通信が継続可能となるため、受信エラーを回避できる。
【００７０】
波長変換装置３Ｅは、運用中の励起光が第１及び第３の励起光、予備の励起光が第２の励起光であって、第１の励起光の異常を検出した場合、第１の調整量に応じて第２の励起光を調整し、異常検出の第１の励起光を調整後の第２の励起光に切替える。その結果、励起光間で周波数を揃えることで、ＷＤＭ装置２では、運用中の励起光の異常時にも瞬断なく、通信が継続可能となるため、受信エラーを回避できる。
【００７１】
また、波長変換装置３Ｅは、運用中の励起光が第１及び第３の励起光、予備の励起光が第２の励起光であって、第３の励起光の異常を検出した場合、第３の調整量に応じて第２の励起光を調整し、異常検出の第３の励起光を調整後の第２の励起光に切替える。その結果、励起光間で周波数を揃えることで、ＷＤＭ装置２では、運用中の励起光の異常時にも瞬断なく、通信が継続可能となるため、受信エラーを回避できる。
【００７２】
波長変換装置３Ｅは、運用中の励起光が第２及び第３の励起光、予備の励起光が第１の励起光であって、第２の励起光の異常を検出した場合、第２の調整量に応じて第１の励起光を調整し、異常検出の第２の励起光を調整後の第１の励起光に切替える。その結果、励起光間で周波数を揃えることで、ＷＤＭ装置２では、運用中の励起光の異常時にも瞬断なく、通信が継続可能となるため、受信エラーを回避できる。
【００７３】
また、波長変換装置３Ｅは、運用中の励起光が第２及び第３の励起光、予備の励起光が第１の励起光であって、第３の励起光の異常を検出した場合、第３の調整量に応じて第１の励起光を調整し、異常検出の第３の励起光を調整後の第１の励起光に切替える。その結果、励起光間で周波数を揃えることで、ＷＤＭ装置２では、運用中の励起光の異常時にも瞬断なく、通信が継続可能となるため、受信エラーを回避できる。
【００７４】
尚、説明の便宜上、第１の励起光源１１Ａ及び第２の励起光源１１Ｂを運用、第３の励起光源１１Ｃを冗長として説明したが、これに限定されるものではない。例えば、第１〜第３の励起光源１１Ａ〜１１Ｃの内、２個の励起光源１１を運用、１個の励起光源１１を予備とすればよく、適宜変更可能である。
【００７５】
尚、実施例４の波長変換装置３Ｅは、３×２の第５の光ＳＷ１３Ｅ及び第６の光ＳＷ１３Ｆを例示したが、これに限定されるものではなく、その実施の形態につき、実施例５として以下に説明する。
【実施例５】
【００７６】
図１０は、実施例５の波長変換装置３Ｆの一例を示す説明図である。尚、実施例４のＷＤＭシステムと同一の構成には同一符号を付すことで、その重複する構成及び動作の説明については省略する。実施例５の波長変換装置３Ｆと実施例４の波長変換装置３Ｅとが異なるところは、第５の光ＳＷ１３Ｅの代わりに第１１〜第１７の光ＳＷ２５Ａ〜２５Ｇ、第６の光ＳＷ１３Ｆの代わりに第１８及び第１９の光ＳＷ２５Ｈ及び２５Ｊを配置した点にある。
【００７７】
第１１の光ＳＷ２５Ａは、第１の励起光源１１Ａと、第１４の光ＳＷ２５Ｄ及び第１５の光ＳＷ２５Ｅとの間に配置され、第１の励起光源１１Ａからの第１の励起光を第１４の光ＳＷ２５Ｄ及び第１５の光ＳＷ２５Ｅに出力するスイッチである。第１２の光ＳＷ２５Ｂは、第２の励起光源１１Ｂと、第１５の光ＳＷ２５Ｅとの間に配置され、第２の励起光源１１Ｂからの第２の励起光を第１５の光ＳＷ２５Ｅに出力するスイッチである。第１３の光ＳＷ２５Ｃは、第３の励起光源１１Ｃと、第１６の光ＳＷ２５Ｆ及び第１７の光ＳＷ２５Ｇとの間に配置され、第３の励起光源１１Ｃからの第３の励起光を第１６の光ＳＷ２５Ｆ及び第１７の光ＳＷ２５Ｇに出力するスイッチである。
【００７８】
第１４の光ＳＷ２５Ｄは、第１１の光ＳＷ２５Ａと、第１６の光ＳＷ２５Ｆとの間に配置され、第１１の光ＳＷ２５Ａからの第１の励起光を第１６の光ＳＷ２５Ｆに出力するスイッチである。第１５の光ＳＷ２５Ｅは、第１１の光ＳＷ２５Ａ及び第１２の光ＳＷ２５Ｂと、第１７の光ＳＷ２５Ｇとの間に配置され、第１１の光ＳＷ２５Ａ及び第１２の光ＳＷ２５Ｂからの励起光を第１７の光ＳＷ２５Ｇに出力するスイッチである。
【００７９】
第１６の光ＳＷ２５Ｆは、第１３の光ＳＷ２５Ｃ及び第１４の光ＳＷ２５Ｄと、第１の励起光増幅部１４Ａとの間に配置され、第１４の光ＳＷ２５Ｄ又は第１３の光ＳＷ２５Ｃからの励起光を第１の励起光増幅部１４Ａに出力するスイッチである。第１７の光ＳＷ２５Ｇは、第１３の光ＳＷ２５Ｃ及び第１５の光ＳＷ２５Ｅと、第２の励起光増幅部１４Ｂとの間に配置され、第１３の光ＳＷ２５Ｃ又は第１５の光ＳＷ２５Ｅからの励起光を第２の励起光増幅部１４Ｂに出力するスイッチである。
【００８０】
第１８の光ＳＷ２５Ｈは、第１の励起光源１１Ａ及び第２の励起光源１１Ｂと、測定部１７Ｃとの間に配置され、第１の励起光源１１Ａ又は第２の励起光源１１Ｂからの励起光を測定部１７Ｃに出力するスイッチである。第１９の光ＳＷ２５Ｊは、第２の励起光源１１Ｂ及び第３の励起光源１１Ｃと、測定部１７Ｃとの間に配置され、第２の励起光源１１Ｂ又は第３の励起光源１１Ｃからの励起光を測定部１７Ｃに出力するスイッチである。
【００８１】
波長変換装置３Ｆは、第２１〜第２５の光カプラ２６Ａ〜２６Ｅと、第２６の光カプラ２６Ｆとを有する。第２１の光カプラ２６Ａは、第１の励起光源１１Ａと、第１１の光ＳＷ２５Ａ及び第１８の光ＳＷ２５Ｈとの間に配置され、第１の励起光源１１Ａからの第１の励起光を第１１の光ＳＷ２５Ａ及び第１８の光ＳＷ２５Ｈに分岐出力する。第２２の光カプラ２６Ｂは、第２の励起光源１１Ｂと、第１２の光ＳＷ２５Ｂ及び第２６の光カプラ２６Ｆとの間に配置され、第２の励起光源１１Ｂからの第２の励起光を第１２の光ＳＷ２５Ｂ及び第２６の光カプラ２６Ｆに分岐出力する。第２３の光カプラ２６Ｃは、第３の励起光源１１Ｃと、第１９の光ＳＷ２５Ｊとの間に配置され、第３の励起光源１１Ｃからの第３の励起光を第１９の光ＳＷ２５Ｊに分岐出力する。
【００８２】
第２４の光カプラ２６Ｄは、第１６の光ＳＷ２５Ｆと、第１の励起光増幅部１４Ａ及び検出部１８Ｃとの間に配置され、第１６の光ＳＷ２５Ｆからの励起光を検出部１８Ｃ及び第１の励起光増幅部１４Ａに分岐出力する。第２５の光カプラ２６Ｅは、第１７の光ＳＷ２５Ｇと、第２の励起光増幅部１４Ｂ及び検出部１８Ｃとの間に配置され、第１７の光ＳＷ２５Ｇからの励起光を検出部１８Ｃ及び第２の励起光増幅部１４Ｂに分岐出力する。
【００８３】
第２６の光カプラ２６Ｆは、第２２の光カプラ２６Ｂと、第１８の光ＳＷ２５Ｈ及び第１９の光ＳＷ２５Ｊとの間に配置され、第２２の光カプラ２６Ｂからの励起光を第１８の光ＳＷ２５Ｈ及び第１９の光ＳＷ２５Ｊに分岐出力する。
【００８４】
検出部１８Ｃは、第２４の光カプラ２６Ｄ経由の励起光又は第２５の光カプラ２６Ｅ経由の励起光の光強度が閾値未満であるか否かを判定する。検出部１８Ｃは、励起光の光強度が閾値未満の場合、励起光の異常と判定する。制御部２０Ｃは、励起光の異常と判定された場合、第１１〜第１９の光ＳＷ２５Ａ〜２５Ｊを制御する。
【００８５】
測定部１７Ｃは、第１８の光ＳＷ２５Ｈ経由の第１の励起光又は第２の励起光の周波数と、第１９の光ＳＷ２５Ｊ経由の第２の励起光又は第３の励起光の周波数との周波数差、すなわち運用中の励起光の周波数と予備の励起光の周波数との周波数差を測定する。更に、測定部１７Ｃは、周波数差に応じた調整量を調整部１９Ｃに出力する。調整部１９Ｃは、調整量に基づき、予備の励起光の周波数を調整し、調整後の予備の励起光を励起光源１１から出力する。
【００８６】
次に実施例５のＷＤＭシステム１の動作について説明する。図１１は、第１の励起光源１１Ａ及び第３の励起光源１１Ｃを運用時の波長変換装置３Ｆの光ＳＷ切替動作の一例を示す説明図である。図１１に示す波長変換装置３Ｆ内の制御部２０Ｃは、第１の励起光源１１Ａ→第１１の光ＳＷ２５Ａ→第１４の光ＳＷ２５Ｄ→第１６の光ＳＷ２５Ｆ→第１の励起光増幅部１４Ａの経路に切替え、当該経路で、第１の励起光を第１の励起光増幅部１４Ａに出力する。更に、制御部２０Ｃは、第３の励起光源１１Ｃ→第１３の光ＳＷ２５Ｃ→第１７の光ＳＷ２５Ｇ→第２の励起光増幅部１４Ｂの経路に切替え、当該経路で第３の励起光を第２の励起光増幅部１４Ｂに出力する。
【００８７】
図１２は、図１１に示す運用状態から第１の励起光源１１Ａ故障時の波長変換装置３Ｆの光ＳＷ切替動作の一例を示す説明図である。図１２に示す波長変換装置３Ｆの検出部１８Ｃは、第１の励起光源１１Ａからの第１の励起光の光強度の異常を検出する。制御部２０Ｃは、第１の励起光源１１Ａから第２の励起光源１１Ｂに切替える。すなわち、制御部２０Ｃは、第２の励起光源１１Ｂ→第１２の光ＳＷ２５Ｂ→第１４の光ＳＷ２５Ｄ→第１６の光ＳＷ２５Ｆ→第１の励起光増幅部１４Ａの経路に切替え、当該経路で第２の励起光を第１の励起光増幅部１４Ａに出力する。更に、制御部２０Ｃは、第３の励起光源１１Ｃ→第１３の光ＳＷ２５Ｃ→第１７の光ＳＷ２５Ｇ→第２の励起光増幅部１４Ｂの経路のまま、当該経路で第３の励起光を第２の励起光増幅部１４Ｂに出力する。
【００８８】
図１３は、図１２に示す運用状態から第３の励起光源１１Ｃ故障時の波長変換装置３Ｆの光ＳＷ切替動作の一例を示す説明図である。図１３に示す波長変換装置３Ｆの検出部１８Ｃは、第３の励起光源１１Ｃからの第３の励起光の光強度の異常を検出する。制御部２０Ｃは、第３の励起光源１１Ｃから第１の励起光源１１Ａに切替える。すなわち、制御部２０Ｃは、第１の励起光源１１Ａ→第１１の光ＳＷ２５Ａ→第１５の光ＳＷ２５Ｅ→第１７の光ＳＷ２５Ｇ→第２の励起光増幅部１４Ｂの経路のまま、当該経路で第１の励起光を第２の励起光増幅部１４Ｂに出力する。更に、制御部２０Ｃは、第２の励起光源１１Ｂ→第１２の光ＳＷ２５Ｂ→第１４の光ＳＷ２５Ｄ→第１６の光ＳＷ２５Ｆ→第１の励起光増幅部１４Ａの経路に切替え、当該経路で第２の励起光を第１の励起光増幅部１４Ａに出力する。
【００８９】
図１４は、図１３に示す運用状態から第２の励起光源１１Ｂ故障時の波長変換装置３Ｆの光ＳＷ切替動作の一例を示す説明図である。図１４に示す波長変換装置３Ｆの検出部１８Ｃは、第２の励起光源１１Ｂからの第２の励起光の光強度の異常を検出する。制御部２０Ｃは、第２の励起光源１１Ｂから第３の励起光源１１Ｃに切替える。すなわち、制御部２０Ｃは、第３の励起光源１１Ｃ→第１３の光ＳＷ２５Ｃ→第１６の光ＳＷ２５Ｆ→第１の励起光増幅部１４Ａの経路に切替え、当該経路で第３の励起光を第１の励起光増幅部１４Ａに出力する。更に、制御部２０Ｃは、第１の励起光源１１Ａ→第１１の光ＳＷ２５Ａ→第１５の光ＳＷ２５Ｅ→第１７の光ＳＷ２５Ｇ→第２の励起光増幅部１４Ｂの経路のまま、当該経路で第１の励起光を第２の励起光増幅部１４Ｂに出力する。
【００９０】
図１５は、第４の切替処理に関わる波長変換装置３Ｆの処理動作の一例を示すフローチャートである。尚、第１の励起光源１１Ａ及び第３の励起光源１１Ｃを運用、第２の励起光源１１Ｂを予備とする。図１５において波長変換装置３Ｆ内の制御部２０Ｃは、第１の励起光源１１Ａと測定部１７Ｃとを接続すべく、第１８の光ＳＷ２５Ｈを制御すると共に、第２の励起光源１１Ｂと測定部１７Ｃとを接続すべく、第１９の光ＳＷ２５Ｊを制御する（ステップＳ６１）。測定部１７Ｃは、第１の励起光源１１Ａからの第１の励起光の周波数と第２の励起光源１１Ｂからの第２の励起光の周波数との第１の周波数差を測定する（ステップＳ６２）。測定部１７Ｃは、第１の周波数差に応じた異常検出前の第１の調整量を保持する（ステップＳ６３）。
【００９１】
次に制御部２０Ｃは、第２の励起光源１１Ｂと測定部１７Ｃとを接続すべく、第１８の光ＳＷ２５Ｈを制御すると共に、第３の励起光源１１Ｃと測定部１７Ｃとを接続すべく、第１９の光ＳＷ２５Ｊを制御する（ステップＳ６４）。測定部１７Ｃは、第２の励起光源１１Ｂからの第２の励起光の周波数と第３の励起光源１１Ｃからの第３の励起光の周波数との第３の周波数差を測定する（ステップＳ６５）。測定部１７Ｃは、第３の周波数差に応じた異常検出前の第３の調整量を保持する（ステップＳ６６）。
【００９２】
波長変換装置３Ｆ内の検出部１８Ｃは、第１の励起光源１１Ａ及び第３の励起光源１１Ｃの励起光の光強度をモニタする（ステップＳ６７）。検出部１８Ｃは、第１の励起光の光強度が閾値未満であるか否かを判定する（ステップＳ６８）。
【００９３】
測定部１７Ｃは、第１の励起光の光強度が閾値未満の場合（ステップＳ６８肯定）、第１の励起光の異常と判断し、第１の調整量を調整部１９Ｃに出力する（ステップＳ６９）。調整部１９Ｃは、第１の調整量に基づき、第２の励起光源１１Ｂの第２の励起光の周波数を調整する（ステップＳ７０）。その結果、第２の励起光源１１Ｂは、第２の励起光の周波数が第１の励起光源１１Ａの異常検出前の第１の励起光の周波数と同じになる。制御部２０Ｃは、第２の励起光源１１Ｂ→第１２の光ＳＷ２５Ｂ→第１４の光ＳＷ２５Ｄ→第１６の光ＳＷ２５Ｆ→第１の励起光増幅部１４Ａの経路に切替えるべく、第１１〜第１７の光ＳＷ２５Ａ〜２５Ｇを制御する（ステップＳ７１）。その結果、第１の励起光の代わりに、第２の励起光源１１Ｂからの第２の励起光を第１の励起光増幅部１４Ａに出力することになる。更に、制御部２０Ｃは、第３の励起光源１１Ｃ→第１３の光ＳＷ２５Ｃ→第１７の光ＳＷ２５Ｇ→第２の励起光増幅部１４Ｂの経路のまま、第１１〜第１７の光ＳＷ２５Ａ〜２５Ｇを制御し（ステップＳ７２）、図１５に示す処理動作を終了する。
【００９４】
検出部１８Ｃは、第１の励起光の光強度が閾値未満でない場合（ステップＳ６８否定）、第１の励起光が正常と判断し、第３の励起光の光強度が閾値未満であるか否かを判定する（ステップＳ７３）。測定部１７Ｃは、第３の励起光の光強度が閾値未満の場合（ステップＳ７３肯定）、第３の励起光の異常と判断し、第３の調整量を調整部１９Ｃに出力する（ステップＳ７４）。調整部１９Ｃは、第３の調整量に基づき、第２の励起光源１１Ｂの第２の励起光の周波数を調整する（ステップＳ７５）。その結果、第２の励起光源１１Ｂは、第２の励起光の周波数が第３の励起光源１１Ｃの異常検出前の第３の励起光の周波数と同じになる。制御部２０Ｃは、第２の励起光源１１Ｂ→第１２の光ＳＷ２５Ｂ→第１４の光ＳＷ２５Ｄ→第１６の光ＳＷ２５Ｆ→第１の励起光増幅部１４Ａの経路のまま、第１１〜第１７の光ＳＷ２５Ａ〜２５Ｇを制御する（ステップＳ７６）。その結果、第３の励起光の代わりに、第２の励起光を第１の励起光増幅部１４Ａに出力することになる。制御部２０Ｃは、第１の励起光源１１Ａ→第１１の光ＳＷ２５Ａ→第１５の光ＳＷ２５Ｅ→第１７の光ＳＷ２５Ｇ→第２の励起光増幅部１４Ｂの経路を切替えるべく、第１１〜第１７の光ＳＷ２５Ａ〜２５Ｇを制御する（ステップＳ７７）。
【００９５】
検出部１８Ｃは、第３の励起光の光強度が閾値未満でない場合（ステップＳ７３否定）、第３の励起光が正常と判断し、一定時間を経過したか否かを判定する（ステップＳ７８）。検出部１８Ｃは、一定時間を経過した場合（ステップＳ７８肯定）、第１８の光ＳＷ２５Ｈ及び第１９の光ＳＷ２５Ｊを制御すべく、ステップＳ６１に移行する。検出部１８Ｃは、一定時間を経過したのでない場合（ステップＳ７８否定）、第１の励起光及び第３の励起光の光強度をモニタすべく、ステップＳ６７に移行する。
【００９６】
図１６は、第５の切替処理に関わる波長変換装置３Ｆの処理動作の一例を示すフローチャートである。尚、第２の励起光源１１Ｂ及び第３の励起光源１１Ｃを運用、第１の励起光源１１Ａを予備とする。図１６において波長変換装置３Ｆ内の制御部２０Ｃは、第１の励起光源１１Ａと測定部１７Ｃとを接続すべく、第１８の光ＳＷ２５Ｈを制御すると共に、第２の励起光源１１Ｂと測定部１７Ｃとを接続すべく、第１９の光ＳＷ２５Ｊを制御する（ステップＳ８１）。測定部１７Ｃは、第１の励起光源１１Ａからの第１の励起光の周波数と第２の励起光源１１Ｂからの第２の励起光の周波数との第２の周波数差を測定する（ステップＳ８２）。測定部１７Ｃは、第２の周波数差に応じた異常検出前の第２の調整量を保持する（ステップＳ８３）。
【００９７】
次に制御部２０Ｃは、第１の励起光源１１Ａと測定部１７Ｃとを接続すべく、第１８の光ＳＷ２５Ｈを制御すると共に、第３の励起光源１１Ｃと測定部１７Ｃとを接続すべく、第１９の光ＳＷ２５Ｊを制御する（ステップＳ８４）。測定部１７Ｃは、第１の励起光源１１Ａからの第１の励起光の周波数と第３の励起光源１１Ｃからの第３の励起光の周波数との第３の周波数差を測定する（ステップＳ８５）。測定部１７Ｃは、第３の周波数差に応じた異常検出前の第３の調整量を保持する（ステップＳ８６）。
【００９８】
波長変換装置３Ｆ内の検出部１８Ｃは、第２の励起光源１１Ｂ及び第３の励起光源１１Ｃの励起光の光強度をモニタする（ステップＳ８７）。検出部１８Ｃは、第２の励起光の光強度が閾値未満であるか否かを判定する（ステップＳ８８）。
【００９９】
測定部１７Ｃは、第２の励起光の光強度が閾値未満の場合（ステップＳ８８肯定）、第２の励起光の異常と判断し、第２の調整量を調整部１９Ｃに出力する（ステップＳ８９）。調整部１９Ｃは、第２の調整量に基づき、第１の励起光源１１Ａの励起光の周波数を調整する（ステップＳ９０）。その結果、第１の励起光源１１Ａは、励起光の周波数が第２の励起光源１１Ｂの異常検出前の第２の励起光の周波数と同じになる。制御部２０Ｃは、第１の励起光源１１Ａ→第１１の光ＳＷ２５Ａ→第１４の光ＳＷ２５Ｄ→第１６の光ＳＷ２５Ｆ→第１の励起光増幅部１４Ａの経路に切替えるべく、第１１〜第１７の光ＳＷ２５Ａ〜２５Ｇを制御する（ステップＳ９１）。その結果、第２の励起光の代わりに、第１の励起光源１１Ａからの第１の励起光を第１の励起光増幅部１４Ａに出力することになる。更に、制御部２０Ｃは、第３の励起光源１１Ｃ→第１３の光ＳＷ２５Ｃ→第１７の光ＳＷ２５Ｇ→第２の励起光増幅部１４Ｂの経路のまま、第１１〜第１７の光ＳＷ２５Ａ〜２５Ｇを制御し（ステップＳ９２）、図１６に示す処理動作を終了する。
【０１００】
検出部１８Ｃは、第２の励起光の光強度が閾値未満でない場合（ステップＳ８８否定）、第２の励起光が正常と判断し、第３の励起光の光強度が閾値未満であるか否かを判定する（ステップＳ９３）。測定部１７Ｃは、第３の励起光の光強度が閾値未満の場合（ステップＳ９３肯定）、第３の励起光の異常と判断し、第３の調整量を調整部１９Ｃに出力する（ステップＳ９４）。調整部１９Ｃは、第３の調整量に基づき、第１の励起光源１１Ａの励起光の周波数を調整する（ステップＳ９５）。その結果、第１の励起光源１１Ａは、第１の励起光の周波数が第３の励起光源１１Ｃの異常検出前の第３の励起光の周波数と同じになる。制御部２０Ｃは、第１の励起光源１１Ａ→第１１の光ＳＷ２５Ａ→第１５の光ＳＷ２５Ｅ→第１７の光ＳＷ２５Ｇ→第２の励起光増幅部１４Ｂの経路に切替えるべく、第１１〜第１７の光ＳＷ２５Ａ〜２５Ｇを制御する（ステップＳ９６）。その結果、第３の励起光の代わりに、第１の励起光を第２の励起光増幅部１４Ｂに出力することになる。制御部２０Ｃは、第２の励起光源１１Ｂ→第１２の光ＳＷ２５Ｂ→第１４の光ＳＷ２５Ｄ→第１６の光ＳＷ２５Ｆ→第１の励起光増幅部１４Ａの経路のまま、第１１〜第１７の光ＳＷ２５Ａ〜２５Ｇを制御する（ステップＳ９７）。
【０１０１】
検出部１８Ｃは、第３の励起光の光強度が閾値未満でない場合（ステップＳ９３否定）、第３の励起光が正常と判断し、一定時間を経過したか否かを判定する（ステップＳ９８）。検出部１８Ｃは、一定時間を経過した場合（ステップＳ９８肯定）、第１８の光ＳＷ２５Ｈ及び第１９の光ＳＷ２５Ｊを制御すべく、ステップＳ８１に移行する。検出部１８Ｃは、一定時間を経過したのでない場合（ステップＳ９８否定）、第２の励起光及び第３の励起光の光強度をモニタすべく、ステップＳ８７に移行する。
【０１０２】
図１７は、第６の切替処理に関わる波長変換装置３Ｆの処理動作の一例を示すフローチャートである。尚、第１の励起光源１１Ａ及び第２の励起光源１１Ｂを運用、第３の励起光源１１Ｃを予備とする。図１７において波長変換装置３Ｆ内の制御部２０Ｃは、第１の励起光源１１Ａと測定部１７Ｃとを接続すべく、第１８の光ＳＷ２５Ｈを制御すると共に、第３の励起光源１１Ｃと測定部１７Ｃとを接続すべく、第１９の光ＳＷ２５Ｊを制御する（ステップＳ１０１）。測定部１７Ｃは、第１の励起光源１１Ａからの第１の励起光の周波数と第３の励起光源１１Ｃからの第３の励起光の周波数との第１の周波数差を測定する（ステップＳ１０２）。測定部１７Ｃは、第１の周波数差に応じた異常検出前の第１の調整量を保持する（ステップＳ１０３）。
【０１０３】
次に制御部２０Ｃは、第２の励起光源１１Ｂと測定部１７Ｃとを接続すべく、第１８の光ＳＷ２５Ｈを制御すると共に、第３の励起光源１１Ｃと測定部１７Ｃとを接続すべく、第１９の光ＳＷ２５Ｊを制御する（ステップＳ１０４）。測定部１７Ｃは、第２の励起光源１１Ｂからの第２の励起光の周波数と第３の励起光源１１Ｃからの第３の励起光の周波数との第２の周波数差を測定する（ステップＳ１０５）。測定部１７Ｃは、第２の周波数差に応じた異常検出前の第２の調整量を保持する（ステップＳ１０６）。
【０１０４】
検出部１８Ｃは、第１の励起光源１１Ａ及び第２の励起光源１１Ｂの励起光の光強度をモニタする（ステップＳ１０７）。検出部１８Ｃは、第１の励起光の光強度が閾値未満であるか否かを判定する（ステップＳ１０８）。
【０１０５】
測定部１７Ｃは、第１の励起光の光強度が閾値未満の場合（ステップＳ１０８肯定）、第１の励起光の異常と判断し、第１の調整量を調整部１９Ｃに出力する（ステップＳ１０９）。調整部１９Ｃは、第１の調整量に基づき、第３の励起光源１１Ｃの励起光の周波数を調整する（ステップＳ１１０）。その結果、第３の励起光源１１Ｃは、第３の励起光の周波数が第１の励起光源１１Ａの異常検出前の第１の励起光の周波数と同じになる。制御部２０は、第３の励起光源１１Ｃ→第１３の光ＳＷ２５Ｃ→第１７の光ＳＷ２５Ｇ→第２の励起光増幅部１４Ｂの経路に切替えるべく、第１１〜第１７の光ＳＷ２５Ａ〜２５Ｇを制御する（ステップＳ１１１）。その結果、第１の励起光の代わりに、第３の励起光源１１Ｃからの第３の励起光を第１の励起光増幅部１４Ａに出力することになる。制御部２０Ｃは、第２の励起光源１１Ｂ→第１２の光ＳＷ２５Ｂ→第１４の光ＳＷ２５Ｄ→第１６の光ＳＷ２５Ｆ→第１の励起光増幅部１４Ａの経路のまま、第１１〜第１７の光ＳＷ２５Ａ〜２５Ｇを制御し（ステップＳ１１２）、図１７に示す処理動作を終了する。
【０１０６】
検出部１８Ｃは、第１の励起光の光強度が閾値未満でない場合（ステップＳ１０８否定）、第１の励起光が正常と判断し、第２の励起光の光強度が閾値未満であるか否かを判定する（ステップＳ１１３）。測定部１７Ｃは、第２の励起光の光強度が閾値未満の場合（ステップＳ１１３肯定）、第２の励起光の異常と判断し、第２の調整量を調整部１９Ｃに出力する（ステップＳ１１４）。調整部１９Ｃは、第２の調整量に基づき、第３の励起光源１１Ｃの励起光の周波数を調整する（ステップＳ１１５）。その結果、第３の励起光源１１Ｃは、第３の励起光の周波数が第１の励起光源１１Ａの異常検出前の第３の励起光の周波数と同じになる。制御部２０Ｃは、第３の励起光源１１Ｃ→第１３の光ＳＷ２５Ｃ→第１７の光ＳＷ２５Ｇ→第２の励起光増幅部１４Ｂの経路に切替えるべく、第１１〜第１７の光ＳＷ２５Ａ〜２５Ｇを制御する（ステップＳ１１６）。その結果、第２の励起光の代わりに、第３の励起光を第２の励起光増幅部１４Ｂに出力することになる。制御部２０Ｃは、第２の励起光源１１Ｂ→第１２の光ＳＷ２５Ｂ→第１４の光ＳＷ２５Ｄ→第１６の光ＳＷ２５Ｆ→第１の励起光増幅部１４Ａの経路のまま、第１１〜第１７の光ＳＷ２５Ａ〜２５Ｇを制御する（ステップＳ１１７）。
【０１０７】
検出部１８Ｃは、第２の励起光の光強度が閾値未満でない場合（ステップＳ１１３否定）、第２の励起光が正常と判断し、一定時間を経過したか否かを判定する（ステップＳ１１８）。検出部１８Ｃは、一定時間を経過した場合（ステップＳ１１８肯定）、第１８の光ＳＷ２５Ｈ及び第１９の光ＳＷ２５Ｊを制御すべく、ステップＳ１０１に移行する。検出部１８Ｃは、一定時間を経過したのでない場合（ステップＳ１１８否定）、第１の励起光及び第２の励起光の光強度をモニタすべく、ステップＳ１０７に移行する。
【０１０８】
実施例５の波長変換装置３Ｆでは、運用中の励起光が第１及び第２の励起光、予備の励起光が第３の励起光であって、第１の励起光の異常を検出した場合、第１の調整量に応じて第３の励起光を調整し、異常検出の第１の励起光を調整後の第３の励起光に切替える。その結果、励起光の周波数ズレを抑制する、すなわち励起光間で周波数を揃えることで、ＷＤＭ装置２では、運用中の励起光の異常時にも瞬断なく、通信が継続可能となるため、受信エラーを回避できる。
【０１０９】
波長変換装置３Ｆは、運用中の励起光が第１及び第２の励起光、予備の励起光が第３の励起光であって、第２の励起光の異常を検出した場合、第２の調整量に応じて第３の励起光を調整し、異常検出の第２の励起光を調整後の第３の励起光に切替える。その結果、励起光間で周波数を揃えることで、ＷＤＭ装置２では、運用中の励起光の異常時にも瞬断なく、通信が継続可能となるため、受信エラーを回避できる。
【０１１０】
波長変換装置３Ｆは、運用中の励起光が第１及び第３の励起光、予備の励起光が第２の励起光であって、第１の励起光の異常を検出した場合、第１の調整量に応じて第２の励起光を調整し、異常検出の第１の励起光を調整後の第２の励起光に切替える。その結果、励起光間で周波数を揃えることで、ＷＤＭ装置２では、運用中の励起光の異常時にも瞬断なく、通信が継続可能となるため、受信エラーを回避できる。
【０１１１】
また、波長変換装置３Ｆは、運用中の励起光が第１及び第３の励起光、予備の励起光が第２の励起光であって、第３の励起光の異常を検出した場合、第３の調整量に応じて第２の励起光を調整し、異常検出の第３の励起光を調整後の第２の励起光に切替える。その結果、励起光間で周波数を揃えることで、ＷＤＭ装置２では、運用中の励起光の異常時にも瞬断なく、通信が継続可能となるため、受信エラーを回避できる。
【０１１２】
波長変換装置３Ｆは、運用中の励起光が第２及び第３の励起光、予備の励起光が第１の励起光であって、第２の励起光の異常を検出した場合、第２の調整量に応じて第１の励起光を調整し、異常検出の第２の励起光を調整後の第１の励起光に切替える。その結果、励起光間で周波数を揃えることで、ＷＤＭ装置２では、運用中の励起光の異常時にも瞬断なく、通信が継続可能となるため、受信エラーを回避できる。
【０１１３】
また、波長変換装置３Ｆは、運用中の励起光が第２及び第３の励起光、予備の励起光が第１の励起光であって、第３の励起光の異常を検出した場合、第３の調整量に応じて第１の励起光を調整し、異常検出の第３の励起光を調整後の第１の励起光に切替える。その結果、励起光間で周波数を揃えることで、ＷＤＭ装置２では、運用中の励起光の異常時にも瞬断なく、通信が継続可能となるため、受信エラーを回避できる。
【０１１４】
尚、実施例５の波長変換装置３Ｆは、第１の励起光増幅部１４Ａで光増幅後の励起光と第２の励起光増幅部１４Ｂで光増幅後の励起光とを合波し、合波後の励起光を光カプラ１５に出力する場合を例示した。しかしながら、１台の励起光増幅部１４で２本の励起光を一括で光増幅しても良く、その実施の形態につき、実施例６として以下に説明する。
【実施例６】
【０１１５】
図１８は、実施例６の波長変換装置３Ｇの一例を示す説明図である。尚、実施例５の波長変換装置３Ｆと同一の構成には同一符号を付すことで、その重複する構成及び動作の説明については省略する。
【０１１６】
実施例６の波長変換装置３Ｇと実施例５の波長変換装置３Ｆとが異なるところは、第１１〜第１９の光ＳＷ２５Ａ〜２５Ｈの代わりに第２１〜第２５の光ＳＷ２７Ａ〜２７Ｅを配置した点にある。
【０１１７】
第２１の光ＳＷ２７Ａは、第２の励起光源１１Ｂと、第２２の光ＳＷ２７Ｂ及び第２３の光ＳＷ２７Ｃとの間に配置され、第２の励起光源１１Ｂからの第２の励起光を第２２の光ＳＷ２７Ｂ又は第２３の光ＳＷ２７Ｃに出力するスイッチである。第２２の光ＳＷ２７Ｂは、第１の励起光源１１Ａ及び第２１の光ＳＷ２７Ａと、励起光増幅部１４との間に配置され、第１の励起光源１１Ａからの第１の励起光又は第２１の光ＳＷ２７Ａからの第２の励起光を励起光増幅部１４に出力するスイッチである。第２３の光ＳＷ２７Ｃは、第３の励起光源１１Ｃ及び第２１の光ＳＷ２７Ａと、励起光増幅部１４との間に配置され、第３の励起光源１１Ｃからの第３の励起光又は第２１の光ＳＷ２７Ａからの第２の励起光を励起光増幅部１４に出力するスイッチである。
【０１１８】
第２４の光ＳＷ２７Ｄは、第１の励起光源１１Ａ及び第２の励起光源１１Ｂと、測定部１７Ｃとの間に配置され、第１の励起光源１１Ａ又は第２の励起光源１１Ｂからの励起光を測定部１７Ｃに出力するスイッチである。第２５の光ＳＷ２７Ｅは、第２の励起光源１１Ｂ及び第３の励起光源１１Ｃと、測定部１７Ｃとの間に配置され、第２の励起光源１１Ｂ又は第３の励起光源１１Ｃからの励起光を測定部１７Ｃに出力するスイッチである。
【０１１９】
波長変換装置３Ｇは、第３１〜第３７の光カプラ２８Ａ〜２８Ｇを有する。第３１の光カプラ２８Ａは、第１の励起光源１１Ａと、第２２の光ＳＷ２７Ｂ及び第２４の光ＳＷ２７Ｄとの間に配置され、第１の励起光源１１Ａからの第１の励起光を第２２の光ＳＷ２７Ｂ及び第２４の光ＳＷ２７Ｄに分岐出力する。第３２の光カプラ２８Ｂは、第２の励起光源１１Ｂと、第２１の光ＳＷ２７Ａ及び第３７の光カプラ２８Ｇとの間に配置され、第２の励起光源１１Ｂからの第２の励起光を第２１の光ＳＷ２７Ａ及び第３７の光カプラ２８Ｇに分岐出力する。第３３の光カプラ２８Ｃは、第３の励起光源１１Ｃと、第２３の光ＳＷ２７Ｃ及び第２５の光ＳＷ２７Ｅとの間に配置され、第３の励起光源１１Ｃからの第３の励起光を第２３の光ＳＷ２７Ｃ及び第２５の光ＳＷ２７Ｅに分岐出力する。
【０１２０】
第３４の光カプラ２８Ｄは、第２２の光ＳＷ２７Ｂ及び第２３の光ＳＷ２７Ｃと、励起光増幅部１４との間に配置され、第２２の光ＳＷ２７Ｂからの励起光と第２３の光ＳＷ２７Ｃからの励起光とを合波し、合波後の励起光を励起光増幅部１４に出力する。第３５の光カプラ２８Ｅは、第２２の光ＳＷ２７Ｂと、励起光増幅部１４及び検出部１８Ｄとの間に配置され、第２２の光ＳＷ２７Ｂからの励起光を励起光増幅部１４及び検出部１８Ｄに分岐出力する。第３６の光カプラ２８Ｆは、第２３の光ＳＷ２７Ｃと、励起光増幅部１４及び検出部１８Ｄとの間に配置され、第２３の光ＳＷ２７Ｃからの励起光を励起光増幅部１４及び検出部１８Ｄに分岐出力する。第３７の光カプラ２８Ｇは、第３２の光カプラ２８Ｂと、第２４の光ＳＷ２７Ｄ及び第２５の光ＳＷ２７Ｅとの間に配置され、第３２の光カプラ２８Ｂからの励起光を第２４の光ＳＷ２７Ｄ及び第２５の光ＳＷ２７Ｅに分岐出力する。
【０１２１】
検出部１８Ｄは、第３５の光カプラ２８Ｅ経由の励起光又は第３６の光カプラ２８Ｆ経由の励起光の光強度が閾値未満であるか否かを判定する。検出部１８Ｄは、励起光の光強度が閾値未満の場合、励起光の異常と判定する。制御部２０Ｄは、励起光の異常と判定された場合、第２１〜第２５の光ＳＷ２７Ａ〜２７Ｅを制御する。
【０１２２】
測定部１７Ｄは、第２４の光ＳＷ２７Ｄ経由の励起光の周波数と、第２５の光ＳＷ２７Ｅ経由の励起光の周波数との周波数差、すなわち運用中の励起光の周波数と冗長の励起光の周波数との周波数差を測定する。更に、測定部１７Ｄは、周波数差に応じた調整量を調整部１９Ｄに出力する。調整部１９Ｄは、調整量に基づき、予備の励起光源１１の励起光の周波数を調整し、調整後の励起光を励起光源１１から出力する。
【０１２３】
次に実施例６のＷＤＭシステム１の動作について説明する。図１９は、第１の励起光源１１Ａ及び第３の励起光源１１Ｃを運用時の波長変換装置３Ｇの光ＳＷ切替動作の一例を示す説明図である。図１９に示す波長変換装置３Ｇ内の制御部２０Ｄは、第１の励起光源１１Ａ→第２２の光ＳＷ２７Ｂ→励起光増幅部１４の経路に切替え、当該経路で、第１の励起光を励起光増幅部１４に出力する。更に、制御部２０Ｄは、第３の励起光源１１Ｃ→第２３の光ＳＷ２７Ｃ→励起光増幅部１４の経路に切替え、当該経路で第３の励起光を励起光増幅部１４に出力する。
【０１２４】
図２０は、図１９に示す運用状態から第１の励起光源１１Ａ故障時の波長変換装置３Ｇの光ＳＷ切替動作の一例を示す説明図である。図２０に示す波長変換装置３Ｇの検出部１８Ｄは、第１の励起光源１１Ａからの第１の励起光の光強度の異常を検出する。制御部２０Ｄは、第１の励起光源１１Ａから第２の励起光源１１Ｂに切替える。すなわち、制御部２０Ｄは、第２の励起光源１１Ｂ→第２１の光ＳＷ２７Ａ→第２２の光ＳＷ２７Ｂ→励起光増幅部１４の経路に切替え、当該経路で第２の励起光を励起光増幅部１４に出力する。更に、制御部２０Ｄは、第３の励起光源１１Ｃ→第２３の光ＳＷ２７Ｃ→励起光増幅部１４の経路のまま、当該経路で第３の励起光を励起光増幅部１４に出力する。
【０１２５】
図２１は、図２０に示す運用状態から第３の励起光源１１Ｃ故障時の波長変換装置３Ｇの光ＳＷ切替動作の一例を示す説明図である。図２１に示す波長変換装置３Ｇの検出部１８Ｄは、第３の励起光源１１Ｃからの第３の励起光の光強度の異常を検出する。制御部２０Ｄは、第３の励起光源１１Ｃから第１の励起光源１１Ａに切替える。すなわち、制御部２０Ｄは、第２の励起光源１１Ｂ→第２１の光ＳＷ２７Ａ→第２３の光ＳＷ２７Ｃ→励起光増幅部１４の経路のまま、当該経路で第２の励起光を励起光増幅部１４に出力する。更に、制御部２０Ｄは、第１の励起光源１１Ａ→第２２の光ＳＷ２７Ｂ→励起光増幅部１４の経路に切替え、当該経路で第１の励起光を励起光増幅部１４に出力する。
【０１２６】
図２２は、図２１に示す運用状態から第２の励起光源１１Ｂ故障時の波長変換装置３Ｇの光ＳＷ切替動作の一例を示す説明図である。図２２に示す波長変換装置３Ｇの検出部１８Ｄは、第２の励起光源１１Ｂからの第２の励起光の光強度の異常を検出する。制御部２０Ｄは、第２の励起光源１１Ｂから第３の励起光源１１Ｃに切替える。すなわち、制御部２０Ｄは、第３の励起光源１１Ｃ→第２３の光ＳＷ２７Ｃ→励起光増幅部１４の経路に切替え、当該経路で第３の励起光を励起光増幅部１４に出力する。更に、制御部２０Ｄは、第１の励起光源１１Ａ→第２２の光ＳＷ２７Ｂ→励起光増幅部１４の経路のまま、当該経路で第１の励起光を励起光増幅部１４に出力する。
【０１２７】
図２３は、第７の切替処理に関わる波長変換装置３Ｇの処理動作の一例を示すフローチャートである。尚、第１の励起光源１１Ａ及び第３の励起光源１１Ｃを運用、第２の励起光源１１Ｂを予備とする。図２３において波長変換装置３Ｇ内の制御部２０Ｄは、第１の励起光源１１Ａと測定部１７Ｄとを接続すべく、第２４の光ＳＷ２７Ｄを制御すると共に、第２の励起光源１１Ｂと測定部１７Ｄとを接続すべく、第２５の光ＳＷ２７Ｅを制御する（ステップＳ１２１）。測定部１７Ｄは、第１の励起光源１１Ａからの第１の励起光の周波数と第２の励起光源１１Ｂからの第２の励起光の周波数との第１の周波数差を測定する（ステップＳ１２２）。測定部１７Ｄは、第１の周波数差に応じた異常検出前の第１の調整量を保持する（ステップＳ１２３）。
【０１２８】
次に制御部２０Ｄは、第２の励起光源１１Ｂと測定部１７Ｄとを接続すべく、第２４の光ＳＷ２７Ｄを制御すると共に、第３の励起光源１１Ｃと測定部１７Ｄとを接続すべく、第２５の光ＳＷ２７Ｅを制御する（ステップＳ１２４）。測定部１７Ｄは、第２の励起光源１１Ｂからの第２の励起光の周波数と第３の励起光源１１Ｃからの第３の励起光の周波数との第３の周波数差を測定する（ステップＳ１２５）。測定部１７Ｄは、第３の周波数差に応じた異常検出前の第３の調整量を保持する（ステップＳ１２６）。
【０１２９】
検出部１８Ｄは、第１の励起光源１１Ａ及び第３の励起光源１１Ｃの励起光の光強度をモニタする（ステップＳ１２７）。検出部１８Ｄは、第１の励起光の光強度が閾値未満であるか否かを判定する（ステップＳ１２８）。
【０１３０】
測定部１７Ｄは、第１の励起光の光強度が閾値未満の場合（ステップＳ１２８肯定）、第１の励起光の異常と判断し、第１の調整量を調整部１９Ｄに出力する（ステップＳ１２９）。調整部１９Ｄは、第１の調整量に基づき、第２の励起光源１１Ｂの励起光の周波数を調整する（ステップＳ１３０）。その結果、第２の励起光源１１Ｂは、第２の励起光の周波数が第１の励起光源１１Ａの異常検出前の第１の励起光の周波数と同じになる。制御部２０Ｄは、第２の励起光源１１Ｂ→第２１の光ＳＷ２７Ａ→第２２の光ＳＷ２７Ｂ→励起光増幅部１４の経路に切替えるべく、第２１〜第２５の光ＳＷ２７Ａ〜２７Ｅを制御する（ステップＳ１３１）。その結果、第１の励起光の代わりに、第２の励起光源１１Ｂからの第２の励起光を励起光増幅部１４に出力することになる。更に、制御部２０Ｄは、第３の励起光源１１Ｃ→第２３の光ＳＷ２７Ｃ→励起光増幅部１４の経路のまま、第２１〜第２５の光ＳＷ２７Ａ〜２７Ｅを制御し（ステップＳ１３２）、図２３に示す処理動作を終了する。
【０１３１】
検出部１８Ｄは、第１の励起光の光強度が閾値未満でない場合（ステップＳ１２８否定）、第１の励起光が正常と判断し、第３の励起光の光強度が閾値未満であるか否かを判定する（ステップＳ１３３）。測定部１７Ｄは、第３の励起光の光強度が閾値未満の場合（ステップＳ１３３肯定）、第３の励起光の異常と判断し、第３の調整量を第２の励起光源１１Ｂに出力する（ステップＳ１３４）。調整部１９Ｄは、第３の調整量に基づき、第２の励起光源１１Ｂの励起光の周波数を調整する（ステップＳ１３５）。その結果、第２の励起光源１１Ｂは、第２の励起光の周波数が第３の励起光源１１Ｃの異常検出前の第３の励起光の周波数と同じになる。制御部２０Ｄは、第２の励起光源１１Ｂ→第２２の光ＳＷ２７Ｂ→励起光増幅部１４の経路に切替えるべく、第２１〜第２５の光ＳＷ２７Ａ〜２７Ｅを制御する（ステップＳ１３６）。その結果、第３の励起光の代わりに、第２の励起光を励起光増幅部１４に出力することになる。制御部２０Ｄは、第１の励起光源１１Ａ→第２２の光ＳＷ２７Ｂ→励起光増幅部１４の経路のまま、第２１〜第２５の光ＳＷ２７Ａ〜２７Ｅを制御する（ステップＳ１３７）。
【０１３２】
検出部１８Ｄは、第３の励起光の光強度が閾値未満でない場合（ステップＳ１３３否定）、第３の励起光が正常と判断し、一定時間を経過したか否かを判定する（ステップＳ１３８）。検出部１８Ｄは、一定時間を経過した場合（ステップＳ１３８肯定）、第２４の光ＳＷ２７Ｄ及び第２５の光ＳＷ２７Ｅを制御すべく、ステップＳ１２１に移行する。検出部１８Ｄは、一定時間を経過したのでない場合（ステップＳ１３８否定）、第１の励起光及び第３の励起光の光強度をモニタすべく、ステップＳ１２７に移行する。
【０１３３】
図２４は、第８の切替処理に関わる波長変換装置３Ｇの処理動作の一例を示すフローチャートである。尚、第２の励起光源１１Ｂ及び第３の励起光源１１Ｃを運用、第１の励起光源１１Ａを予備とする。図２４において波長変換装置３Ｇ内の制御部２０Ｄは、第１の励起光源１１Ａと測定部１７Ｄとを接続すべく、第２４の光ＳＷ２７Ｄを制御すると共に、第２の励起光源１１Ｂと測定部１７Ｄとを接続すべく、第２５の光ＳＷ２７Ｅを制御する（ステップＳ１４１）。測定部１７Ｄは、第１の励起光源１１Ａからの第１の励起光の周波数と第２の励起光源１１Ｂからの第２の励起光の周波数との第２の周波数差を測定する（ステップＳ１４２）。測定部１７Ｄは、第２の周波数差に応じた異常検出前の第２の調整量を保持する（ステップＳ１４３）。
【０１３４】
次に制御部２０Ｄは、第１の励起光源１１Ａと測定部１７Ｄとを接続すべく、第２４の光ＳＷ２７Ｄを制御すると共に、第３の励起光源１１Ｃと測定部１７Ｄとを接続すべく、第２５の光ＳＷ２７Ｅを制御する（ステップＳ１４４）。測定部１７Ｄは、第１の励起光源１１Ａからの第１の励起光の周波数と第３の励起光源１１Ｃからの第３の励起光の周波数との第３の周波数差を測定する（ステップＳ１４５）。測定部１７Ｄは、第３の周波数差に応じた異常検出前の第３の調整量を保持する（ステップＳ１４６）。
【０１３５】
検出部１８Ｄは、第２の励起光源１１Ｂ及び第３の励起光源１１Ｃの励起光の光強度をモニタする（ステップＳ１４７）。検出部１８Ｄは、第２の励起光の光強度が閾値未満であるか否かを判定する（ステップＳ１４８）。
【０１３６】
測定部１７Ｄは、第２の励起光の光強度が閾値未満の場合（ステップＳ１４８肯定）、第２の励起光の異常と判断し、第２の調整量を調整部１９Ｄに出力する（ステップＳ１４９）。調整部１９Ｄは、第２の調整量に基づき、第１の励起光源１１Ａの励起光の周波数を調整する（ステップＳ１５０）。その結果、第１の励起光源１１Ａは、第１の励起光の周波数が第２の励起光源１１Ｂの異常検出前の第２の励起光の周波数と同じになる。制御部２０Ｄは、第１の励起光源１１Ａ→第２２の光ＳＷ２７Ｂ→励起光増幅部１４の経路に切替えるべく、第２１〜第２５の光ＳＷ２７Ａ〜２７Ｅを制御する（ステップＳ１５１）。その結果、第２の励起光の代わりに、第１の励起光源１１Ａからの第１の励起光を励起光増幅部１４に出力することになる。更に、制御部２０Ｄは、第３の励起光源１１Ｃ→第２３の光ＳＷ２７Ｃ→励起光増幅部１４の経路のまま、第２１〜第２５の光ＳＷ２７Ａ〜２７Ｅを制御し（ステップＳ１５２）、図２４に示す処理動作を終了する。
【０１３７】
検出部１８Ｄは、第２の励起光の光強度が閾値未満でない場合（ステップＳ１４８否定）、第２の励起光が正常と判断し、第３の励起光の光強度が閾値未満であるか否かを判定する（ステップＳ１５３）。測定部１７Ｄは、第３の励起光の光強度が閾値未満の場合（ステップＳ１５３肯定）、第３の励起光の異常と判断し、第３の調整量を調整部１９Ｄに出力する（ステップＳ１５４）。調整部１９Ｄは、第３の調整量に基づき、第１の励起光源１１Ａの第１の励起光の周波数を調整する（ステップＳ１５５）。その結果、第１の励起光源１１Ａは、第１の励起光の周波数が第３の励起光源１１Ｃの異常検出前の第３の励起光の周波数と同じになる。制御部２０Ｄは、第１の励起光源１１Ａ→第２２の光ＳＷ２７Ｂ→励起光増幅部１４の経路に切替えるべく、第２１〜第２５の光ＳＷ２７Ａ〜２７Ｅを制御する（ステップＳ１５６）。その結果、第３の励起光の代わりに、第１の励起光を励起光増幅部１４に出力することになる。制御部２０Ｄは、第２の励起光源１１Ｂ→第２１の光ＳＷ２７Ａ→第２３の光ＳＷ２７Ｃ→励起光増幅部１４の経路のまま、第２１〜第２５の光ＳＷ２７Ａ〜２７Ｅを制御する（ステップＳ１５７）。
【０１３８】
検出部１８Ｄは、第３の励起光の光強度が閾値未満でない場合（ステップＳ１５３否定）、第３の励起光が正常と判断し、一定時間を経過したか否かを判定する（ステップＳ１５８）。検出部１８Ｄは、一定時間を経過した場合（ステップＳ１５８肯定）、第２４の光ＳＷ２７Ｄ及び第２５の光ＳＷ２７Ｅを制御すべく、ステップＳ１４１に移行する。検出部１８Ｄは、一定時間を経過したのでない場合（ステップＳ１５８否定）、第２の励起光及び第３の励起光の光強度をモニタすべく、ステップＳ１４７に移行する。
【０１３９】
図２５は、第９の切替処理に関わる波長変換装置３Ｇの処理動作の一例を示すフローチャートである。尚、第１の励起光源１１Ａ及び第２の励起光源１１Ｂを運用、第３の励起光源１１Ｃを予備とする。図２５において波長変換装置３Ｇ内の制御部２０Ｄは、第１の励起光源１１Ａと測定部１７Ｄとを接続すべく、第２４の光ＳＷ２７Ｄを制御すると共に、第３の励起光源１１Ｃと測定部１７Ｄとを接続すべく、第２５の光ＳＷ２７Ｅを制御する（ステップＳ１６１）。測定部１７Ｄは、第１の励起光源１１Ａからの第１の励起光の周波数と第３の励起光源１１Ｃからの第３の励起光の周波数との第１の周波数差を測定する（ステップＳ１６２）。測定部１７Ｄは、第１の周波数差に応じた異常検出前の第１の調整量を保持する（ステップＳ１６３）。
【０１４０】
次に制御部２０Ｄは、第２の励起光源１１Ｂと測定部１７Ｄとを接続すべく、第２４の光ＳＷ２７Ｄを制御すると共に、第３の励起光源１１Ｃと測定部１７Ｄとを接続すべく、第２５の光ＳＷ２７Ｅを制御する（ステップＳ１６４）。測定部１７Ｄは、第２の励起光源１１Ｂからの第２の励起光の周波数と第３の励起光源１１Ｃからの第３の励起光の周波数との第２の周波数差を測定する（ステップＳ１６５）。測定部１７Ｄは、第２の周波数差に応じた異常検出前の第２の調整量を保持する（ステップＳ１６６）。
【０１４１】
検出部１８Ｄは、第１の励起光源１１Ａ及び第２の励起光源１１Ｂの励起光の光強度をモニタする（ステップＳ１６７）。検出部１８Ｄは、第１の励起光の光強度が閾値未満であるか否かを判定する（ステップＳ１６８）。
【０１４２】
測定部１７Ｄは、第１の励起光の光強度が閾値未満の場合（ステップＳ１６８肯定）、第１の励起光の異常と判断し、第１の調整量を調整部１９Ｄに出力する（ステップＳ１６９）。調整部１９Ｄは、第１の調整量に基づき、第３の励起光源１１Ｃの励起光の周波数を調整する（ステップＳ１７０）。その結果、第３の励起光源１１Ｃは、第３の励起光の周波数が第１の励起光源１１Ａの異常検出前の第１の励起光の周波数と同じになる。制御部２０Ｄは、第３の励起光源１１Ｃ→第２３の光ＳＷ２７Ｃ→励起光増幅部１４の経路に切替えるべく、第２１〜第２５の光ＳＷ２７Ａ〜２７Ｅを制御する（ステップＳ１７１）。その結果、第１の励起光の代わりに、第３の励起光源１１Ｃからの第３の励起光を励起光増幅部１４に出力することになる。更に、制御部２０Ｄは、第２の励起光源１１Ｂ→第２１の光ＳＷ２７Ａ→第２２の光ＳＷ２７Ｂ→励起光増幅部１４の経路のまま、第２１〜第２５の光ＳＷ２７Ａ〜２７Ｅを制御し（ステップＳ１７２）、図２５に示す処理動作を終了する。
【０１４３】
検出部１８Ｄは、第１の励起光の光強度が閾値未満でない場合（ステップＳ１６８否定）、第１の励起光が正常と判断し、第２の励起光の光強度が閾値未満であるか否かを判定する（ステップＳ１７３）。測定部１７Ｄは、第２の励起光の光強度が閾値未満の場合（ステップＳ１７３肯定）、第２の励起光の異常と判断し、第２の調整量を調整部１９Ｄに出力する（ステップＳ１７４）。調整部１９Ｄは、第２の調整量に基づき、第３の励起光源１１Ｃの励起光の周波数を調整する（ステップＳ１７５）。その結果、第３の励起光源１１Ｃは、第３の励起光の周波数が第１の励起光源１１Ａの異常検出前の第３の励起光の周波数と同じになる。制御部２０Ｄは、第３の励起光源１１Ｃ→第２３の光ＳＷ２７Ｃ→励起光増幅部１４の経路に切替えるべく第２１〜第２５の光ＳＷ２７Ａ〜２７Ｅを制御する（ステップＳ１７６）。その結果、第２の励起光の代わりに、第３の励起光を励起光増幅部１４に出力することになる。制御部２０Ｄは、第２の励起光源１１Ｂ→第２１の光ＳＷ２７Ａ→第２２の光ＳＷ２７Ｂ→励起光増幅部１４の経路のまま、第２１〜第２５の光ＳＷ２７Ａ〜２７Ｅを制御する（ステップＳ１７７）。
【０１４４】
検出部１８Ｄは、第２の励起光の光強度が閾値未満でない場合（ステップＳ１７３否定）、第２の励起光が正常と判断し、一定時間を経過したか否かを判定する（ステップＳ１７８）。検出部１８Ｄは、一定時間を経過した場合（ステップＳ１７８肯定）、第２４の光ＳＷ２７Ｄ及び第２５の光ＳＷ２７Ｅを制御すべく、ステップＳ１６１に移行する。検出部１８Ｄは、一定時間を経過したのでない場合（ステップＳ１７８否定）、第１の励起光及び第２の励起光の光強度をモニタすべく、ステップＳ１６７に移行する。
【０１４５】
実施例６の波長変換装置３Ｇでは、運用中の励起光が第１及び第２の励起光、予備の励起光が第３の励起光であって、第１の励起光の異常を検出した場合、第１の調整量に応じて第３の励起光を調整し、異常検出の第１の励起光を調整後の第３の励起光に切替える。その結果、励起光の周波数ズレを抑制する、すなわち、励起光間で周波数を揃えることで、ＷＤＭ装置２では、運用中の励起光の異常時にも瞬断なく、通信が継続可能となるため、受信エラーを回避できる。
【０１４６】
波長変換装置３Ｇは、運用中の励起光が第１及び第２の励起光、予備の励起光が第３の励起光であって、第２の励起光の異常を検出した場合、第２の調整量に応じて第３の励起光を調整し、異常検出の第２の励起光を調整後の第３の励起光に切替える。その結果、励起光間で周波数を揃えることで、ＷＤＭ装置２では、運用中の励起光の異常時にも瞬断なく、通信が継続可能となるため、受信エラーを回避できる。
【０１４７】
波長変換装置３Ｇは、運用中の励起光が第１及び第３の励起光、予備の励起光が第２の励起光であって、第１の励起光の異常を検出した場合、第１の調整量に応じて第２の励起光を調整し、異常検出の第１の励起光を調整後の第２の励起光に切替える。その結果、励起光間で周波数を揃えることで、ＷＤＭ装置２では、運用中の励起光の異常時にも瞬断なく、通信が継続可能となるため、受信エラーを回避できる。
【０１４８】
また、波長変換装置３Ｇは、運用中の励起光が第１及び第３の励起光、予備の励起光が第２の励起光であって、第３の励起光の異常を検出した場合、第３の調整量に応じて第２の励起光を調整し、異常検出の第３の励起光を調整後の第２の励起光に切替える。その結果、励起光間で周波数を揃えることで、ＷＤＭ装置２では、運用中の励起光の異常時にも瞬断なく、通信が継続可能となるため、受信エラーを回避できる。
【０１４９】
波長変換装置３Ｇは、運用中の励起光が第２及び第３の励起光、予備の励起光が第１の励起光であって、第２の励起光の異常を検出した場合、第２の調整量に応じて第１の励起光を調整し、異常検出の第２の励起光を調整後の第１の励起光に切替える。その結果、励起光間で周波数を揃えることで、ＷＤＭ装置２では、運用中の励起光の異常時にも瞬断なく、通信が継続可能となるため、受信エラーを回避できる。
【０１５０】
また、波長変換装置３Ｇは、運用中の励起光が第２及び第３の励起光、予備の励起光が第１の励起光であって、第３の励起光の異常を検出した場合、第３の調整量に応じて第１の励起光を調整し、異常検出の第３の励起光を調整後の第１の励起光に切替える。その結果、励起光間で周波数を揃えることで、ＷＤＭ装置２では、運用中の励起光の異常時にも瞬断なく、通信が継続可能となるため、受信エラーを回避できる。
【実施例７】
【０１５１】
図２６は、実施例７の波長変換装置３Ｈの一例を示す説明図である。尚、実施例と同一の構成には同一符号を付すことで、その重複する構成及び動作の説明については省略する。図２６において波長変換装置３Ｈは、第１の励起光源１１Ａと、第２の励起光源１１Ｂと、第１の冗長用励起光源１２Ａと、第２の冗長用励起光源１２Ｂと、第３１の光ＳＷ２９Ａと、第３２の光ＳＷ２９Ｂとを有する。波長変換装置３Ｈは、第１の励起光増幅部１４Ａ及び第２の励起光増幅部１４Ｂと、第１の測定部１７Ｅと、第２の測定部１７Ｆと、検出部１８Ｅと、調整部１９Ｅと、制御部２０Ｅとを有する。
【０１５２】
第１の励起光源１１Ａは、第１の励起光を発光する。第２の励起光源１１Ｂは、第２の励起光を発光する。第１の冗長用励起光源１２Ａは、第１の励起光の代わり予備の第１の励起光を発光する。第２の冗長用励起光源１２Ｂは、第２の励起光の代わりに予備の第２の励起光を発光する。
【０１５３】
第３１の光ＳＷ２９Ａは、第１の励起光源１１Ａ及び第１の冗長用励起光源１２Ａと、第１の励起光増幅部１４Ａとの間に配置され、第１の励起光源１１Ａ又は第１の冗長用励起光源１２Ａからの第１の励起光を第１の励起光増幅部１４Ａに出力する。第３２の光ＳＷ２９Ｂは、第２の励起光源１１Ｂ及び第２の冗長用励起光源１２Ｂと、第２の励起光増幅部１４Ｂとの間に配置され、第２の励起光源１１Ｂ又は第２の冗長用励起光源１２Ｂからの第２の励起光を第２の励起光増幅部１４Ｂに出力する。
【０１５４】
波長変換装置３Ｈは、第３１〜第３７の光カプラ３０Ａ〜３０Ｇを有する。第３１の光カプラ３０Ａは、第１の励起光源１１Ａと、第３１の光ＳＷ２９Ａ及び第１の測定部１７Ｅとの間に配置され、第１の励起光源１１Ａからの第１の励起光を第３１の光ＳＷ２９Ａ及び第１の測定部１７Ｅに分岐出力する。第３２の光カプラ３０Ｂは、第２の励起光源１１Ｂと、第３２の光ＳＷ２９Ｂ及び第２の測定部１７Ｆとの間に配置され、第２の励起光源１１Ｂからの第２の励起光を第３２の光ＳＷ２９Ｂ及び第２の測定部１７Ｆに分岐出力する。
【０１５５】
第３３の光カプラ３０Ｃは、第３１の光ＳＷ２９Ａと、第１の励起光増幅部１４Ａ及び検出部１８Ｅとの間に配置され、第３１の光ＳＷ２９Ａからの第１の励起光を第１の励起光増幅部１４Ａ及び検出部１８Ｅに分岐出力する。第３４の光カプラ３０Ｄは、第３２の光ＳＷ２９Ｂと、第２の励起光増幅部１４Ｂ及び検出部１８Ｅとの間に配置され、第３２の光ＳＷ２９Ｂからの第２の励起光を第２の励起光増幅部１４Ｂ及び検出部１８Ｅに分岐出力する。第３５の光カプラ３０Ｅは、第１の励起光増幅部１４Ａ及び第２の励起光増幅部１４Ｂと、光カプラ１５との間に配置される。そして、第３５の光カプラ３０Ｅは、第１の励起光増幅部１４Ａからの第１の励起光及び第２の励起光増幅部１４Ｂからの第２の励起光を合波し、合波後の励起光を光カプラ１５に出力する。
【０１５６】
第３６の光カプラ３０Ｆは、第１の冗長用励起光源１２Ａと、第３１の光ＳＷ２９Ａ及び第１の測定部１７Ｅとの間に配置され、第１の冗長用励起光源１２Ａからの第１の励起光を第３１の光ＳＷ２９Ａ及び第１の測定部１７Ｅに分岐出力する。第３７の光カプラ３０Ｇは、第２の冗長用励起光源１２Ｂと、第３２の光ＳＷ２９Ｂ及び第２の測定部１７Ｆとの間に配置され、第２の冗長用励起光源１２Ｂからの第２の励起光を第３２の光ＳＷ２９Ｂ及び第２の測定部１７Ｆに分岐出力する。
【０１５７】
検出部１８Ｅは、第３３の光カプラ３０Ｃ経由の第１の励起光又は第３４の光カプラ３０Ｄ経由の第２の励起光の光強度が閾値未満であるか否かを判定する。検出部１８Ｅは、励起光の光強度が閾値未満の場合、励起光の異常と判定する。制御部２０Ｅは、励起光の異常と判定された場合、第１の励起光源１１Ａを第１の冗長用励起光源１２Ａに切替えると共に、第２の励起光源１１Ｂを第２の冗長用励起光源１２Ｂに切替えるべく、第３１の光ＳＷ２９Ａ及び第３２の光ＳＷ２９Ｂを制御する。
【０１５８】
第１の測定部１７Ｅは、第３１の光カプラ３０Ａ経由の第１の励起光の周波数と、第３６の光カプラ３０Ｆ経由の予備の第１の励起光の周波数との第１の周波数差を測定する。更に、第１の測定部１７Ｅは、第１の周波数差に応じた第１の調整量を調整部１９Ｅに出力する。
【０１５９】
第２の測定部１７Ｆは、第３２の光カプラ３０Ｂ経由の第２の励起光の周波数と、第３７の光カプラ３０Ｇ経由の予備の第２の励起光の周波数との第２の周波数差を測定する。更に、第２の測定部１７Ｆは、第２の周波数差に応じた第２の調整量を調整部１９Ｅに出力する。
【０１６０】
調整部１９Ｅは、第１の調整量に基づき、第１の冗長用励起光源１２Ａの第１の励起光の周波数を調整すると共に、第２の調整量に基づき、第２の冗長用励起光源１２Ｂの第２の励起光の周波数を調整する。
【０１６１】
次に実施例７のＷＤＭシステム１の動作について説明する。図２７は、第１０の切替処理に関わる波長変換装置３Ｇの処理動作の一例を示すフローチャートである。制御部２０Ｅは、第１の励起光源１１Ａと第１の励起光増幅部１４Ａとを接続すべく、第３１の光ＳＷ２９Ａを制御すると共に、第２の励起光源１１Ｂと第２の励起光増幅部１４Ｂとを接続すべく、第３２の光ＳＷ２９Ｂを制御する（ステップＳ１８１）。第１の測定部１７Ｅは、第１の励起光源１１Ａからの励起光の周波数と第１の冗長用励起光源１２Ａからの予備の第１の励起光の周波数との第１の周波数差を測定する（ステップＳ１８２Ａ）。第２の測定部１７Ｆは、第２の励起光源１１Ｂからの第２の励起光の周波数と第２の冗長用励起光源１２Ｂからの予備の第２の励起光の周波数との第２の周波数差を測定する（ステップＳ１８２Ｂ）。
【０１６２】
第１の測定部１７Ｅは、第１の周波数差に応じた異常検出前の第１の調整量を保持する（ステップＳ１８３Ａ）。第２の測定部１７Ｆは、第２の周波数差に応じた異常検出前の第２の調整量を保持する（ステップＳ１８３Ｂ）。
【０１６３】
検出部１８Ｅは、第１の励起光源１１Ａの第１の励起光及び第２の励起光源１１Ｂの第２の励起光の光強度をモニタする（ステップＳ１８４）。検出部１８Ｅは、第１の励起光又は第２の励起光の光強度が閾値未満であるか否かを判定する（ステップＳ１８５）。
【０１６４】
第１の測定部１７Ｅは、第１の励起光又は第２の励起光の光強度が閾値未満の場合（ステップＳ１８５肯定）、第１の励起光又は第２の励起光の異常と判断し、第１の調整量及び第２の調整量を調整部１９Ｅに出力する（ステップＳ１８６）。調整部１９Ｅは、第１の調整量に基づき、第１の冗長用励起光源１２Ａの第１の励起光の周波数を調整すると共に、第２の調整量に基づき、第２の冗長用励起光源１２Ｂの第２の励起光の周波数を調整する（ステップＳ１８７）。その結果、第１の冗長用励起光源１２Ａは、第１の励起光の周波数が第１の励起光源１１Ａの異常検出前の第１の励起光の周波数と同じになる。また、第２の冗長用励起光源１２Ｂは、第２の励起光の周波数が第２の励起光源１１Ｂの異常検出前の第２の励起光の周波数と同じになる。制御部２０Ｅは、第１の冗長用励起光源１２Ａ→第３１の光ＳＷ２９Ａ→第１の励起光増幅部１４Ａの経路に切替えるべく、第３１の光ＳＷ２９Ａを制御する。更に、制御部２０Ｅは、第２の冗長用励起光源１２Ｂ→第３２の光ＳＷ２９Ｂ→第２の励起光増幅部１４Ｂの経路に切替えるべく、第３２の光ＳＷ２９Ｂを制御する（ステップＳ１８８）。その結果、第１の励起光の代わりに、第１の冗長用励起光源１２Ａからの予備の第１の励起光を第１の励起光増幅部１４Ａに出力する。更に、第２の励起光の代わりに、第２の冗長用励起光源１２Ｂからの第２の励起光を第２の励起光増幅部１４Ｂに出力することになる。
【０１６５】
検出部１８Ｅは、第１の励起光又は第２の励起光の光強度が閾値未満でない場合（ステップＳ１８５否定）、正常と判断し、一定時間を経過したか否かを判定する（ステップＳ１８９）。検出部１８Ｅは、一定時間を経過した場合（ステップＳ１８９肯定）、第３１の光ＳＷ２９Ａ及び第３２の光ＳＷ２９Ｂを制御すべく、ステップＳ１８１に移行する。検出部１８Ｅは、一定時間を経過したのでない場合（ステップＳ１８９否定）、第１の励起光及び第２の励起光の光強度をモニタすべく、ステップＳ１８４に移行する。
【０１６６】
実施例７の波長変換装置３Ｈでは、第１の励起光源１１Ａ及び第２の励起光源１１Ｂの第１及び第２の励起光の何れか一方の異常を検出した場合、第１の調整量に応じて予備の第１の励起光を調整すると共に、第２の調整量に応じて予備の第２の励起光を調整する。波長変換装置３Ｈは、第１の励起光源１１Ａ及び第２の励起光源１１Ｂを調整後の第１の冗長用励起光源１２Ａ及び第２の冗長用励起光源１１２Ｂに一括で切替える。その結果、励起光の周波数ズレを抑制する、すなわち、励起光間で周波数を揃えることで、ＷＤＭ装置２では、運用中の励起光の異常時にも瞬断なく、通信が継続可能となるため、受信エラーを回避できる。
【０１６７】
尚、実施例１の検出部１８は、運用中の励起光の光強度が閾値以下であるか否かを判定し、励起光の光強度が閾値以下と判定された場合に励起光の異常と判定する場合を例示したが、これに限定されるものではない。従って、その実施の形態につき、実施例８として以下に説明する。
【実施例８】
【０１６８】
図２８は、実施例８の波長変換装置３Ｊの一例を示す説明図である。尚、実施例１の波長変換装置３と同一の構成には同一符号を付すことで、その重複する構成及び動作の説明については省略する。図２８に示す波長変換装置３Ｊは、第４の光カプラ２１Ｄと、測定部１７と、検出部１８Ｇと、調整部１９Ｇと、制御部２０Ｇとを有する。第４の光カプラ２１Ｄは、光ＳＷ１３と、励起光増幅部１４及び検出部１８Ｇとの間に配置され、光ＳＷ１３からの励起光を励起光増幅部１４及び検出部１８Ｇに分岐出力するスイッチである。
【０１６９】
図２９は、実施例８の検出部１８Ｇの一例を示す説明図である。図２８に示す検出部１８Ｇは、光カプラ５１と、光波長フィルタ５２と、第１のＰＤ５３Ａと、第２のＰＤ５３Ｂと、第１のＡ／Ｄ変換部５４Ａと、第２のＡ／Ｄ変換部５４Ｂと、第１の異常検出部５５とを有する。
【０１７０】
光カプラ５１は、第４の光カプラ２１Ｄからの励起光を光波長フィルタ５２及び第２のＰＤ５３Ｂに分岐出力する。光波長フィルタ５２は、励起光源１１の正常時の励起光を透過するための透過波長であって、光カプラ５１で分岐された正常時の励起光を透過して第１のＰＤ５３Ａに出力する。第１のＰＤ５３Ａは、透過後の励起光を電気変換し、電気変換後の第１の励起光信号を第１のＡ／Ｄ変換部５４Ａに出力する。第１のＡ／Ｄ変換部５４Ａは、第１の励起光信号をデジタル変換し、デジタル変換後の第１の励起光信号の出力レベルを経路１の出力レベルとして第１の異常検出部５５に出力する。経路１は、光波長フィルタ５２が存在するため、周波数ズレが生じると、出力レベルが低下する。
【０１７１】
第２のＰＤ５３Ｂは、光カプラ５１で分岐された励起光を電気変換し、電気変換後の第２の励起光信号を第２のＡ／Ｄ変換部５４Ｂに出力する。第２のＡ／Ｄ変換部５４Ｂは、第２の励起光信号をデジタル変換し、デジタル変換後の第２の励起光信号の出力レベルを経路２の出力レベルとして第１の異常検出部５５に出力する。経路２は、光波長フィルタ５２が存在しないため、周波数ズレが生じたとしても、出力レベルの変動はない。つまり、励起光の周波数ズレが生じた場合、経路１のみ出力レベルが低下し、出力レベルが低下した場合、経路１及び２の出力レベルが低下する。
【０１７２】
第１の異常検出部５５は、経路１の出力レベルと、経路２の出力レベルと、出力レベル差（経路１−経路２）とに基づき、異常の検出結果を出力する。図３０は、異常検出の判定結果の一例を示す説明図である。第１の異常検出部５５は、経路１の出力レベル及び経路２の出力レベルが３ｄＢ低下、かつ、出力レベル差が０の場合、励起光の出力低下の異常と判断する。
【０１７３】
第１の異常検出部５５は、経路１の出力レベルが２ｄＢ低下、経路２の出力レベルが０ｄＢ、出力レベル差が２ｄＢ以下の場合、励起光の周波数ズレの異常と判断する。また、第１の異常検出部５５は、経路１の出力レベルが５ｄＢ低下、経路２の出力レベルが３ｄＢ低下、出力レベル差が２ｄＢ低下の場合、励起光の出力低下及び周波数ズレの異常と判断する。
【０１７４】
測定部１７は、第１の光カプラ２１Ａ経由の励起光源１１からの運用中の励起光と、第２の光カプラ２１Ｂ経由の冗長用励起光源１２からの励起光との周波数差を測定する。測定部１７は、周波数差に応じた調整量を算出し、算出した調整量を調整部１９Ｇに出力する。尚、調整量は、冗長用励起光源１２からの励起光の周波数を、異常検出前の励起光源１１からの励起光の周波数に揃えるための調整量である。
【０１７５】
検出部１８Ｇは、第４の光カプラ２１Ｄ経由の励起光の光強度を検出し、光強度に基づき、励起光の異常を検出したか否かを判定する。また、検出部１８Ｇは、励起光の経路１及び経路２の出力レベルに基づき、周波数ズレの異常を判定する。検出部１８Ｇは、励起光の光強度に基づく異常を検出した場合、励起光の異常を調整部１９Ｇ及び制御部２０Ｇに出力する。調整部１９Ｇは、励起光の光強度に基づく異常を検出した場合、調整量に応じて冗長用励起光源１２からの励起光の周波数を調整する。その結果、冗長用励起光源１２は、異常検出前の励起光源１１の励起光の周波数と同じ調整後の励起光を発光する。そして、光ＳＷ１３は、励起光の異常を検出した場合、励起光源１１から冗長用励起光源１２の励起光に入力を切替える。
【０１７６】
検出部１８Ｇは、周波数ズレの異常を検出した場合、励起光の異常を調整部１９Ｇ及び制御部２０Ｇに出力する。調整部１９Ｇは、励起光の周波数ズレの異常を検出した場合、調整量に応じて冗長用励起光源１２からの励起光の周波数を調整する。その結果、冗長用励起光源１２は、異常検出前の励起光源１１の励起光の周波数と同じ調整後の励起光を発光する。そして、光ＳＷ１３は、励起光の異常を検出した場合、励起光源１１から冗長用励起光源１２の励起光に入力を切替える。
【０１７７】
図３１は、第１１の切替処理に関わる波長変換装置３Ｊの処理動作の一例を示すフローチャートである。図３１において波長変換装置３Ｊ内の測定部１７は、励起光源１１からの励起光の周波数と冗長用励起光源１２からの励起光の周波数との周波数差を測定する（ステップＳ１９１）。測定部１７は、周波数差に基づき、調整部１９Ｇに異常検出前の調整量を出力する（ステップＳ１９２）。
【０１７８】
調整部１９Ｇは、調整量に基づき、冗長用励起光源１２の予備の励起光の周波数を調整する（ステップＳ１９３）。その結果、冗長用励起光源１２は、予備の励起光の周波数が励起光源１１の励起光の周波数と同じになる。検出部１８Ｇは、励起光源１１の励起光の光強度をモニタする（ステップＳ１９４）。検出部１８Ｇは、経路１及び経路２の出力レベルを取得する（ステップＳ１９５）。検出部１８Ｇは、励起光の光強度が閾値未満であるか否かを判定する（ステップＳ１９６）。尚、閾値は、励起光の異常を検出するための光強度の閾値である。
【０１７９】
制御部２０Ｇは、励起光の光強度が閾値未満の場合（ステップＳ１９６肯定）、励起光の異常と判断し、冗長用励起光源１２と励起光増幅部１４とを切替接続すべく、光ＳＷ１３を制御し（ステップＳ１９７）、図３１に示す処理動作を終了する。その結果、励起光増幅部１４は、冗長用励起光源１２からの調整後の予備の励起光を入力し、当該調整後の予備の励起光を増幅して光カプラ１５に出力する。
【０１８０】
検出部１８Ｇは、光強度が閾値未満でない場合（ステップＳ１９６否定）、経路１及び経路２の出力レベルに基づき、周波数ズレを検出したか否かを判定する（ステップＳ１９８）。制御部２０Ｇは、周波数ズレを検出した場合（ステップＳ１９８肯定）、光ＳＷ１３を制御すべく、ステップＳ１９７に移行する。検出部１８Ｇは、周波数ズレを検出しなかった場合（ステップＳ１９８否定）、一定時間を経過したか否かを判定する（ステップＳ１９９）。検出部１８Ｇは、一定時間を経過した場合（ステップＳ１９９肯定）、励起光源１１と冗長用励起光源１２との周波数差を測定すべく、ステップＳ１９１に移行する。検出部１８Ｇは、一定時間を経過したのでない場合（ステップＳ１９９否定）、励起光の光強度をモニタすべく、ステップＳ１９４に移行する。
【０１８１】
実施例８の波長変換装置３Ｊでは、励起光源１１からの運用中の励起光と、冗長用励起光源１２からの予備の励起光との周波数差を測定する。波長変換装置３Ｊは、光波長フィルタ５２通過後の運用中の励起光と、光波長フィルタ５２通過前の運用中の励起光との比較結果に基づき、運用中の励起光の光強度低下又は周波数ズレを検出する。波長変換装置３Ｊは、運用中の励起光の光強度が閾値未満又は、運用中の励起光の周波数ズレを検出した場合、運用中の励起光の異常と判定する。波長変換装置３Ｊは、運用中の励起光の異常と判定された場合、異常検出前の周波数差に応じた調整量に基づき、異常検出前の運用中の励起光の周波数に予備の励起光の周波数を調整する。波長変換装置３Ｊは、予備の励起光の周波数を調整した後、予備の励起光の周波数を異常検出前の運用中の励起光の周波数に揃えた後に励起光源１１から冗長用励起光源１２に切替える。その結果、励起光の周波数ズレを抑制する、すなわち、励起光間で周波数を揃えることで、ＷＤＭ装置２では、運用中の励起光の異常時にも瞬断なく、通信が継続可能となるため、受信エラーを回避できる。
【実施例９】
【０１８２】
図３２は、実施例９の波長変換装置３Ｋの一例を示す説明図である。尚、実施例１のＷＤＭシステム１と同一の構成には同一符号を付すことで、その重複する構成及び動作の説明については省略する。実施例１の波長変換装置３と実施例９の波長変換装置３Ｋとが異なるところは、波長変換部１６の後段に第５の光カプラ２１Ｅを配置し、第５の光カプラ２１Ｅから波長変換後の信号光を検出部１８Ｈ及び出力段に分岐出力する点にある。図３２に示す波長変換装置３Ｋは、測定部１７と、検出部１８Ｈと、調整部１９Ｈと、制御部２０Ｈとを有する。
【０１８３】
図３３は、実施例９の検出部１８Ｈの一例を示す説明図である。図３３に示す検出部１８Ｈは、光波長フィルタ５２、第１のＰＤ５３Ａ、第２のＰＤ５３Ｂ、第１のＡ／Ｄ変換部５４Ａ、第２のＡ／Ｄ変換部５４Ｂの他に、第２の異常検出部５５Ａを有する。
【０１８４】
検出部１８Ｈ内の光波長フィルタ５２は、第５の光カプラ２１Ｅで分岐されたＷＤＭ光から励起光を透過して第１のＰＤ５３Ａに出力する。第１のＰＤ５３Ａは、透過後の励起光を電気変換し、電気変換後の第１の励起光信号を第１のＡ／Ｄ変換部５４Ａに出力する。第１のＡ／Ｄ変換部５４Ａは、第１の励起光信号をデジタル変換し、デジタル変換後の第１の励起光信号の出力レベルを経路３の出力レベルとして第２の異常検出部５５Ａに出力する。
【０１８５】
第２のＰＤ５３Ｂは、第４の光カプラ２１Ｄで分岐された励起光を電気変換し、電気変換後の第２の励起光信号を第２のＡ／Ｄ変換部５４Ｂに出力する。第２のＡ／Ｄ変換部５４Ｂは、第２の励起光信号をデジタル変換し、デジタル変換後の第２の励起光信号の出力レベルを経路４の出力レベルとして第２の異常検出部５５Ａに出力する。
【０１８６】
第２の異常検出部５５Ａは、経路３の出力レベルと、経路４の出力レベルと、出力レベル差（経路３−経路４）とに基づき、異常の検出結果を出力する。第２の異常検出部５５Ａは、経路３の出力レベル及び経路４の出力レベルが３ｄＢ低下、かつ、低下した出力レベルの差が十分小さい場合、励起光の出力低下の異常と判断する。
【０１８７】
第２の異常検出部５５Ａは、経路３の出力レベルが２ｄＢ低下、経路４の出力レベルが０ｄＢ、低下した出力レベルの差が２ｄＢ以下の場合、励起光の周波数ズレの異常と判断する。また、第２の異常検出部５５Ａは、経路３の出力レベルが５ｄＢ低下、経路４の出力レベルが３ｄＢ低下、低下した出力レベルの差が２ｄＢの場合、励起光の出力低下及び周波数ズレの異常と判断する。
【０１８８】
測定部１７は、第１の光カプラ２１Ａ経由の励起光源１１からの運用中の励起光と、第２の光カプラ２１Ｂ経由の冗長用励起光源１２からの励起光との周波数差を測定する。測定部１７は、周波数差に応じた調整量を算出し、算出した調整量を調整部１９Ｈに出力する。尚、調整量は、冗長用励起光源１２からの励起光の周波数を、異常検出前の励起光源１１からの励起光の周波数に揃えるための調整量である。
【０１８９】
検出部１８Ｈは、第４の光カプラ２１Ｄ経由の励起光の光強度を検出し、光強度に基づき、励起光の異常を検出したか否かを判定する。また、検出部１８Ｈは、第４の光カプラ２１Ｄ経由の励起光及び第５の光カプラ２１Ｅ経由のＷＤＭ光を検出する。更に、検出部１８Ｈは、励起光の経路３及び経路４の出力レベルに基づき、周波数ズレの異常を判定する。検出部１８Ｈは、励起光の光強度に基づく異常を検出した場合、励起光の異常を調整部１９Ｈ及び制御部２０Ｈに出力する。調整部１９Ｈは、励起光の光強度に基づく異常を検出した場合、調整量に応じて冗長用励起光源１２からの励起光の周波数を調整する。その結果、冗長用励起光源１２は、異常検出前の励起光源１１の励起光の周波数と同じ調整後の励起光を出力する。そして、光ＳＷ１３は、励起光の異常を検出した場合、励起光源１１から冗長用励起光源１２の励起光に入力を切替える。
【０１９０】
検出部１８Ｈは、周波数ズレの異常を検出した場合、励起光の異常を調整部１９Ｈ及び制御部２０Ｈに出力する。調整部１９Ｈは、励起光の周波数ズレの異常を検出した場合、調整量に応じて冗長用励起光源１２からの励起光の周波数を調整する。その結果、冗長用励起光源１２は、異常検出前の励起光源１１の励起光の周波数と同じ調整後の励起光を出力する。そして、光ＳＷ１３は、励起光の異常を検出した場合、励起光源１１から冗長用励起光源１２の励起光に入力を切替える。
【０１９１】
実施例９の波長変換装置３Ｋでは、励起光源１１からの運用中の励起光と、冗長用励起光源１２からの予備の励起光との周波数差を測定する。波長変換装置３Ｋは、光波長フィルタ５２通過後の運用中のＷＤＭ光から抽出した励起光と、光波長フィルタ５２通過前の運用中の励起光との比較結果に基づき、運用中の励起光の光強度低下又は周波数ズレを検出する。波長変換装置３Ｋは、運用中の励起光の光強度が閾値未満又は、運用中の励起光の周波数ズレを検出した場合、運用中の励起光の異常と判定する。波長変換装置３Ｋは、運用中の励起光の異常と判定された場合、異常検出前の周波数差に応じた調整量に基づき、異常検出前の運用中の励起光の周波数に予備の励起光の周波数を調整する。波長変換装置３Ｋは、予備の励起光の周波数を調整した後、予備の励起光の周波数を異常検出前の運用中の励起光の周波数に揃えた後に励起光源１１から冗長用励起光源１２に切替える。その結果、励起光の周波数ズレを抑制する、すなわち、励起光間で周波数を揃えることで、ＷＤＭ装置２では、運用中の励起光の異常時にも瞬断なく、通信が継続可能となるため、受信エラーを回避できる。
【０１９２】
また、本実施例では、例えば、Ｃ帯のＷＤＭ光をＬ帯のＷＤＭ光に波長変換する波長変換装置３を例示した。しかしながら、ＷＤＭ光に限定されるものではなく、Ｃ帯の信号光をＬ帯の変換光に波長変換する波長変換装置３に適用しても良く、適宜変更可能である。尚、説明の便宜上、Ｃ帯を基準にしたが、Ｓ帯からＬ帯へ、Ｌ帯からＳ帯へのＳ帯とＬ帯との相互間で波長変換する場合の伝送システムに適用しても良く、適宜変更可能である。
【０１９３】
上記実施例のＷＤＭシステム１では、波長変換装置３に使用する励起光を光増幅器等の光部品に使用しても良く、適宜変更可能である。
【０１９４】
波長変換装置３は、ＷＤＭ光と励起光とを非線形ファイバに伝搬させることでＷＤＭ光を任意の波長帯域に変換するが、ＦＭ変調（又はＰＭ変調）の励起光を用いても良い。
【０１９５】
上記実施例では、Ｃ帯の光部品を使用し、Ｃ帯のＷＤＭ光をＳ帯やＬ帯に波長変換して光ファイバ４に伝送するシステムを例示した。しかしながら、Ｓ帯の光部品を使用し、Ｓ帯のＷＤＭ光をＣ帯やＬ帯に波長変換して光ファイバ４に伝送するシステムや、Ｌ帯の光部品を使用し、Ｌ帯のＷＤＭ光をＣ帯やＳ帯に波長変換して光ファイバ４に伝送するシステムにも適用可能である。
【０１９６】
上記実施例では、Ｃ帯及びＬ帯を使用する場合を例示したが、Ｃ帯及びＬ帯に限定されるものではなく、例えば、Ｏ帯、Ｅ帯やＵ帯に適用しても良く、適宜変更可能である。
【０１９７】
図３４は、他の実施例のＷＤＭシステム１Ａの一例を示す説明図である。図３４に示すＷＤＭシステム１Ａ内の第１の波長合分波器５Ａは、第１の波長変換装置３ＡからのＬ帯のＷＤＭ光と、第３のＷＤＭ装置２ＣからのＣ帯のＷＤＭ光とを合波してＣ帯＋Ｌ帯のＷＤＭ光をファイバ４に出力する。第２の波長合分波器５Ｂは、ファイバ４からのＣ帯＋Ｌ帯のＷＤＭ光をＣ帯のＷＤＭ光及びＬ帯のＷＤＭ光に分波し、Ｃ帯のＷＤＭ光を第４のＷＤＭ装置２Ｄに出力すると共に、Ｌ帯のＷＤＭ光を第２の波長変換装置３Ｂに出力する。第２の波長変換装置３Ｂは、第１の波長変換装置３ＡからのＬ帯のＷＤＭ光を励起光に応じてＣ帯のＷＤＭ光に波長変換し、波長変換後のＣ帯のＷＤＭ光を第２のＷＤＭ装置２Ｂに出力する。第２のＷＤＭ装置２Ｂ及び第４のＷＤＭ装置２Ｄは、Ｃ帯のＷＤＭ光を各波長の信号光に分波し、分波後の信号光を各光送受信器に出力する。図３４に示す第１の波長変換装置３Ａ（３）及び第２の波長変換装置３Ｂ（３）にも本願発明は適用可能である。
【０１９８】
図３５は、他の実施例のＷＤＭシステム１Ｂの一例を示す説明図である。図３５に示すＷＤＭシステム内の第３の波長変換装置３Ｃは、第５のＷＤＭ装置２ＥからのＣ帯のＷＤＭ光を励起光に応じてＳ帯（Short-wavelength  Band）のＷＤＭ光に波長変換する。第１の波長合分波器５Ａは、第１の波長変換装置３Ａからの波長変換後のＬ帯のＷＤＭ光と、第３のＷＤＭ装置２ＣからのＣ帯のＷＤＭ光と、第３の波長変換装置３Ｃからの波長変換後のＳ帯のＷＤＭ光とを合波し、合波後のＳ＋Ｃ＋Ｌ帯のＷＤＭ光をファイバ４に出力する。第２の波長合分波器５Ｂは、ファイバ４からのＳ＋Ｃ＋Ｌ帯のＷＤＭ光をＳ帯のＷＤＭ光、Ｃ帯のＷＤＭ光及びＬ帯のＷＤＭ光に分波する。第２の波長合分波器５Ｂは、Ｃ帯のＷＤＭ光を第４のＷＤＭ装置２Ｄに出力すると共に、Ｌ帯のＷＤＭ光を第２の波長変換装置３Ｂに出力すると共に、Ｓ帯のＷＤＭ光を第４の波長変換装置３Ｄに出力する。第２の波長変換装置３Ｂは、第１の波長変換装置３ＡからのＬ帯のＷＤＭ光を励起光に応じてＣ帯のＷＤＭ光に波長変換し、波長変換後のＣ帯のＷＤＭ光を第２のＷＤＭ装置２Ｂに出力する。第４の波長変換装置３Ｄは、第３の波長変換装置３ＣからのＳ帯のＷＤＭ光を励起光に応じてＣ帯のＷＤＭ光に波長変換し、波長変換後のＣ帯のＷＤＭ光を第６のＷＤＭ装置２Ｆに出力する。第２のＷＤＭ装置２Ｂ、第４のＷＤＭ装置２Ｄおよび第６のＷＤＭ装置２Ｆは、Ｃ帯のＷＤＭ光を各波長の信号光に分波し、分波後の信号光を各光送受信器に出力する。図３５に示す第１〜第４の波長変換装置３Ａ〜３Ｄ（３）にも本願発明は適用可能である。同様にＳ帯、Ｃ帯およびＬ帯以外のＷＤＭ光も光ファイバ４に出力される帯域に追加することができる。
【０１９９】
また、本実施例の測定部１７は、運用中の励起光の周波数と予備の励起光の周波数との周波数差に応じて、予備の励起光の周波数を異常検出前の運用中の励起光の周波数とを揃えるための調整量を算出し、調整量を調整部１９に出力する。そして、調整部１９は、調整量に応じて予備の励起光の周波数を異常検出前の励起光の周波数に揃えた。しかしながら、これに限定されるものではなく、測定部１７は、周波数差に応じて異常検出前の運用中の励起光の設定周波数を特定する。そして、測定部１７は、特定した設定周波数を調整部１９に出力し、調整部１９が設定周波数に応じて予備の励起光を調整しても良く、適宜変更可能である。また、測定部１７は、周波数差に応じて調整量を算出し、調整量を調整部１９に出力する場合を例示したが、異常検出前の周波数差に応じて予備の励起光を調整しても良く、適宜変更可能である。
【０２００】
第１の励起光源１１Ａ、第２の励起光源１１Ｂ及び第３の励起光源１１Ｃの内、２台の励起光源１１を運用、１台の励起光源１１を予備としたが、単一励起光方式の場合、１台の励起光源１１を運用とし、２台の励起光源１１を予備とすればよく、適宜変更可能である。
【０２０１】
２波長の励起方式の波長変換装置３では、変換前のＷＤＭ光と、ＷＤＭ光側の長波長側に２本の励起光とを入力した場合、非縮退四光は２本の励起光を中心に長波長側に波長変換後のＷＤＭ光が出力する場合を例示した。しかしながら、これに限定されるものではなく、波長変換装置３は、変換前のＷＤＭ光と、変換前のＷＤＭ光の短波長側に１本の励起光と、変換前のＷＤＭ光の長波長側に１本の励起光とを入力した場合、励起光間に変換後のＷＤＭ光を変換出力する。この場合にも本願発明の波長変換装置３は適用可能である。また、波長変換装置３は、変換前のＷＤＭ光と、変換前のＷＤＭ光の長波長側に２本の励起光とを入力した場合、励起光間に変換後のＷＤＭ光を変換出力する。この場合にも本願発明の波長変換装置３は適用可能である。また、波長変換装置３は、変換前のＷＤＭ光と、変換前のＷＤＭ光の短波長側のＷＤＭ光と直交する第１の励起光と、変換前のＷＤＭ光の長波長側のＷＤＭ光と直交する第２の励起光とを入力する。この場合、第１の励起光と直交する短波長側に変換後の第１のＷＤＭ光と、第２の励起光と直交する長波長側に変換後の第２のＷＤＭ光とを変換出力する。この場合にも本願発明の波長変換装置３は適用可能である。
【０２０２】
実施例１乃至７の波長変換装置３（３Ａ〜３Ｈ）の検出部１８（１８Ａ〜１８Ｅ）は、運用中の励起光の光強度が閾値未満であるか否かに基づき、励起光の異常を検出する場合を例示した。しかしながら、これに限定されるものではなく、検出部１８は、検出部１８Ｇ及び１８Ｈの構成にすることで、励起光の周波数ズレを検出し、周波数ズレの異常を検出しても良く、適宜変更可能である。
【０２０３】
本実施例の波長変換装置３（３Ａ〜３Ｋ）は、測定部１７にて運用中の励起光と予備の励起光との周波数差を測定し、運用中の励起光の異常を検出した場合、周波数差に基づき、予備の励起光の周波数を調整した後、調整後の予備の励起光を運用に切替えた。しかしながら、運用中の励起光及び予備の励起光の周波数を事前に設定しておき、周波数差に関係なく、運用中の励起光の異常を検出した場合、事前に設定した周波数の予備の励起光を運用に切替えても良い。この場合、波長変換装置は、第１の励起光を発光する第１の励起光源と、第２の励起光を発光する第２の励起光源と、第１の励起光及び第２の励起光の内、運用中の励起光に応じて第１の波長の信号光を第２の波長の信号光に変換する波長変換部とを有する。波長変換装置は、調整部と、制御部とを有する。調整部は、運用中の励起光の異常を検出した場合に、第１の励起光源と第２の励起光源とで事前に設定した周波数に、第１の励起光及び第２の励起光の内、運用中の励起光以外の予備の励起光の周波数を揃えて調整する。そして、制御部は、調整後の予備の励起光を運用に切替える。その結果、測定部がなくても、励起光間で周波数を揃えることで、ＷＤＭ装置では、運用中の励起光の異常時にも瞬断なく、通信が継続可能となるため、受信エラーを回避できる。
【０２０４】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【符号の説明】
【０２０５】
１  ＷＤＭシステム
３  波長変換装置
１１  励起光源
１２  冗長用励起光源
１３  光ＳＷ
１６  波長変換部
１７  測定部
１８  検出部
１９  調整部
２０  制御部
【図１】
2020101649.tif 000003
【図２】
2020101649.tif 000004
【図３】
2020101649.tif 000005
【図４】
2020101649.tif 000006
【図５】
2020101649.tif 000007
【図６】
2020101649.tif 000008
【図７】
2020101649.tif 000009
【図８】
2020101649.tif 000010
【図９】
2020101649.tif 000011
【図１０】
2020101649.tif 000012
【図１１】
2020101649.tif 000013
【図１２】
2020101649.tif 000014
【図１３】
2020101649.tif 000015
【図１４】
2020101649.tif 000016
【図１５】
2020101649.tif 000017
【図１６】
2020101649.tif 000018
【図１７】
2020101649.tif 000019
【図１８】
2020101649.tif 000020
【図１９】
2020101649.tif 000021
【図２０】
2020101649.tif 000022
【図２１】
2020101649.tif 000023
【図２２】
2020101649.tif 000024
【図２３】
2020101649.tif 000025
【図２４】
2020101649.tif 000026
【図２５】
2020101649.tif 000027
【図２６】
2020101649.tif 000028
【図２７】
2020101649.tif 000029
【図２８】
2020101649.tif 000030
【図２９】
2020101649.tif 000031
【図３０】
2020101649.tif 000032
【図３１】
2020101649.tif 000033
【図３２】
2020101649.tif 000034
【図３３】
2020101649.tif 000035
【図３４】
2020101649.tif 000036
【図３５】
2020101649.tif 000037
【図３６】
2020101649.tif 000038
【図３７】
2020101649.tif 000039
【図３８】
2020101649.tif 000040